(57)【特許請求の範囲】
【請求項１】
マクロセルの１つのコンポーネントキャリアをプライマリコンポーネントキャリアとして使用する端末装置についての情報を取得する取得部と、
前記マクロセルと一部又は全体で重なるスモールセルの１つ以上のコンポーネントキャリアを、前記端末装置がさらに使用する追加のコンポーネントキャリアとして設定する制御部と、
を備え、
前記制御部は、前記１つ以上のコンポーネントキャリアのうちの１つのコンポーネントキャリアを、アップリンク制御チャネルで前記端末装置がアップリンク制御情報を送信可能な特別なコンポーネントキャリアとして設定し、
前記マクロセルと前記スモールセルの１つ以上のコンポーネントキャリアのうちの、第１の特別なコンポーネントキャリアとして設定されず、かつ、前記スモールセルの前記１つ以上のコンポーネントキャリアのうちの、第２の特別なコンポーネントキャリアとして設定されないコンポーネントキャリアを、前記第１の特別なコンポーネントキャリアに付随するセカンダリコンポーネントキャリアとして設定するか、前記第２の特別なコンポーネントキャリアに付随するセカンダリコンポーネントキャリアとして設定するかを決定し、決定した情報を前記スモールセルの基地局へ通知する、
通信制御装置。
【請求項２】
前記アップリンク制御情報は、ダウンリンク信号の受信に関する確認応答（ＡＣＫ）及び否定確認応答（ＮＡＣＫ）を含む、請求項１に記載の通信制御装置。
【請求項３】
前記アップリンク制御情報は、アップリンクのスケジューリング要求を含む、請求項１に記載の通信制御装置。
【請求項４】
前記アップリンク制御情報は、周期的に報告されるチャネル状態情報を含む、請求項１に記載の通信制御装置。
【請求項５】
前記アップリンク制御チャネルは、物理アップリンク制御チャネル（ＰＵＣＣＨ）である、請求項１に記載の通信制御装置。
【請求項６】
前記特別なコンポーネントキャリアは、前記端末装置により接続確立の手続きが行われないコンポーネントキャリアである、請求項１に記載の通信制御装置。
【請求項７】
前記特別なコンポーネントキャリアは、端末装置ごとに選択されるコンポーネントキャリアである、請求項１に記載の通信制御装置。
【請求項８】
前記制御部は、前記スモールセルのコンポーネントキャリアを前記追加のコンポーネントキャリアとして新たに設定する際に、当該コンポーネントキャリアを前記特別なコンポーネントキャリアとして設定する場合には、前記特別なコンポーネントキャリアとして前記コンポーネントキャリアを追加することを前記端末装置に通知する、請求項１に記載の通信制御装置。
【請求項９】
前記セカンダリコンポーネントキャリアは、前記アップリンク制御チャネルで前記端末装置が前記アップリンク制御情報を送信不能なコンポーネントキャリアであり、
前記セカンダリコンポーネントキャリアに関連する前記アップリンク制御情報は、前記第１の特別なコンポーネントキャリアの前記アップリンク制御チャネルで送信される情報である、請求項１に記載の通信制御装置。
【請求項１０】
前記制御部は、前記スモールセルのコンポーネントキャリアを前記追加のコンポーネントキャリアとして新たに設定する際に、当該コンポーネントキャリアを前記セカンダリコンポーネントキャリアとして設定する場合には、前記第１の特別なコンポーネントキャリアに属するのか、前記第２の特別なコンポーネントキャリアに属するのかを前記端末装置に通知する、請求項１に記載の通信制御装置。
【請求項１１】
前記制御部は、前記セカンダリコンポーネントキャリアとして設定されている１つのコンポーネントキャリアを、前記特別なコンポーネントキャリアとして新たに設定することにより、前記特別なコンポーネントキャリアを変更する、請求項１に記載の通信制御装置。
【請求項１２】
前記セカンダリコンポーネントキャリアとして設定されている他のコンポーネントキャリアは、前記特別なコンポーネントキャリアの変更後、前記特別なコンポーネントキャリアとして新たに設定される前記１つのコンポーネントキャリアに付随する、請求項１１に記載の通信制御装置。
【請求項１３】
前記制御部は、前記特別なコンポーネントキャリアの変更の際に、前記特別なコンポーネントキャリアとして新たに設定される前記１つのコンポーネントキャリアに前記特別なコンポーネントキャリアが変更されることを前記端末装置に通知する、請求項１１に記載の通信制御装置。
【請求項１４】
前記制御部は、接続再構成の手続きにおけるメッセージの中で、前記特別なコンポーネントキャリアとして新たに設定される前記１つのコンポーネントキャリアに前記特別なコンポーネントキャリアが変更されることを前記端末装置に通知する、請求項１３に記載の通信制御装置。
【請求項１５】
前記制御部は、前記第２の特別なコンポーネントキャリアにおいて無線リンク障害が発生する場合に、所定の手続きを通じて、前記第１の特別なコンポーネントキャリアに付随して動作中の前記セカンダリコンポーネントキャリアとして設定されている１つのコンポーネントキャリアを前記第２の特別なコンポーネントキャリアとして新たに設定する、請求項１１に記載の通信制御装置。
【請求項１６】
前記所定の手続きは、前記第２の特別なコンポーネントキャリアの変更のための接続再構成の手続き又は接続再確立の手続きである、請求項１５に記載の通信制御装置。
【請求項１７】
前記制御部は、前記所定の手続きが所定の期間内に完了しない場合には、前記スモールセルの前記第２の特別なコンポーネントキャリア及び前記スモールセルの前記第２の特別なコンポーネントキャリアに付随するセカンダリコンポーネントキャリアとの前記端末装置による使用を停止するか、そのまま動作させるかを判断する、請求項１５に記載の通信制御装置。
【請求項１８】
前記制御部は、前記マクロセルの基地局と前記スモールセルの基地局との間のバックホールが所定の品質基準を満たさないものである場合に、前記１つ以上のコンポーネントキャリアのうちの前記１つのコンポーネントキャリアを前記特別なコンポーネントキャリアとして設定し、前記バックホールが前記所定の通信品質を満たすものである場合に、前記１つ以上のコンポーネントキャリアの各々を、前記プライマリコンポーネントキャリアに付随するセカンダリコンポーネントキャリアとして設定する、請求項１に記載の通信制御装置。
【請求項１９】
マクロセルの１つのコンポーネントキャリアをプライマリコンポーネントキャリアとして使用する端末装置についての情報を取得することと、
プロセッサにより、前記マクロセルと一部又は全体で重なるスモールセルの１つ以上のコンポーネントキャリアを、前記端末装置がさらに使用する追加のコンポーネントキャリアとして設定することと、
を含み、
前記１つ以上のコンポーネントキャリアを前記追加のコンポーネントキャリアとして設定することは、前記１つ以上のコンポーネントキャリアのうちの１つのコンポーネントキャリアを、アップリンク制御チャネルで前記端末装置がアップリンク制御情報を送信可能な特別なコンポーネントキャリアとして設定すること、を含み、
さらに、
前記マクロセルと前記スモールセルの１つ以上のコンポーネントキャリアのうちの、第１の特別なコンポーネントキャリアとして設定されず、かつ、前記スモールセルの前記１つ以上のコンポーネントキャリアのうちの、第２の特別なコンポーネントキャリアとして設定されないコンポーネントキャリアを、前記第１の特別なコンポーネントキャリアに付随するセカンダリコンポーネントキャリアとして設定するか、前記第２の特別なコンポーネントキャリアに付随するセカンダリコンポーネントキャリアとして設定するかを決定し、決定した情報を前記スモールセルの基地局へ通知することを含む、
通信制御方法。
【請求項２０】
端末装置であって、
前記端末装置が、マクロセルの１つのコンポーネントキャリアをプライマリコンポーネントキャリアとして使用し、前記マクロセルと一部又は全体で重なるスモールセルの１つ以上のコンポーネントキャリアが、前記端末装置がさらに使用する追加のコンポーネントキャリアとして設定され、前記１つ以上のコンポーネントキャリアのうちの１つのコンポーネントキャリアが、アップリンク制御チャネルで前記端末装置がアップリンク制御情報を送信可能な特別なコンポーネントキャリアとして設定される場合に、前記１つのコンポーネントキャリアについての情報を取得する取得部と、
前記１つのコンポーネントキャリアにおいて前記アップリンク制御チャネルで前記アップリンク制御情報が送信されるように、前記１つのコンポーネントキャリアにおける無線通信を制御する制御部と、
を備え、
前記マクロセルと前記スモールセルの１つ以上のコンポーネントキャリアのうちの、第１の特別なコンポーネントキャリアとして設定されず、かつ、前記スモールセルの前記１つ以上のコンポーネントキャリアのうちの、第２の特別なコンポーネントキャリアとして設定されないコンポーネントキャリアが、前記第１の特別なコンポーネントキャリアに付随するセカンダリコンポーネントキャリアとして設定されるか、前記第２の特別なコンポーネントキャリアに付随するセカンダリコンポーネントキャリアとして設定されるかが決定される端末装置。
【発明の詳細な説明】
【技術分野】
【０００１】
本開示は、通信制御装置、通信制御方法及び端末装置に関する。
【背景技術】
【０００２】
現在、３ＧＰＰ（Third  Generation  Partnership  Project）において４Ｇの無線通信システムが規格化されている。４Ｇの無線通信システムの技術として、例えば、キャリアアグリゲーションが規格化されている。キャリアアグリゲーションは、所定の帯域幅をそれぞれ有する２つ以上のコンポーネントキャリア（ＣＣ：Component  Carrier）をまとめて扱うことによってより広い帯域幅を扱うことを可能にする。【０００３】
例えば、非特許文献１には、キャリアアグリゲーションでおいて端末装置が使用するＣＣを追加し又は削除するための手続きが開示されている。
【先行技術文献】
【非特許文献】
【０００４】
【非特許文献１】3GPP  TS  36.331  V11.0.0  (2012-06)  3rd  Generation  Partnership  Project;  Technical  Specification  Group  Radio  Access  Network;  Evolved  Universal  Terrestrial  Radio  Access  (E-UTRA);  Radio  Resource  Control  (RRC);  Protocol  specification  (Release  11)
【発明の概要】
【発明が解決しようとする課題】
【０００５】
端末装置は、マクロセルのＣＣとスモールセルのＣＣとをキャリアアグリゲーションにより使用し得る。この場合に、端末装置は、例えば、上記マクロセルの上記ＣＣをＰＣＣ（Primary  Component  Carrier）として使用し、上記スモールセルの上記ＣＣをＳＣＣ（Secondary  Component  Carrier）として使用する。そして、ＳＣＣ（即ち、上記スモールセルの上記ＣＣ）についてのアップリンク制御信号（例えば、ＡＣＫ／ＮＡＣＫなど）は、ＰＣＣ（即ち、上記マクロセルの上記ＣＣ）で送信され得る。さらに、例えば、上記アップリンク制御信号は、バックホールを介して、上記マクロセルの基地局から上記スモールセルの基地局へ送信され得る。【０００６】
しかし、上述したようなケースにおいて、端末装置の無線通信は、バックホールにより多大な影響を受ける可能性がある。例えば、上記アップリンク制御信号（例えば、ＡＣＫ／ＮＡＣＫなど）は、バックホールでの遅延に起因して、上記スモールセルの上記基地局に到達するのに多大な時間を要し得る。その結果、上記アップリンク制御信号に基づく上記スモールセルの上記基地局による動作が遅れ、例えば上記端末装置にとっての通信品質が低下し得る。【０００７】
そこで、キャリアアグリゲーションのケースにおいてバックホールによる無線通信への影響を低減することを可能にする仕組みが提供されることが望ましい。
【課題を解決するための手段】
【０００８】
本開示によれば、マクロセルの１つのコンポーネントキャリアをプライマリコンポーネントキャリアとして使用する端末装置についての情報を取得する取得部と、上記マクロセルと一部又は全体で重なるスモールセルの１つ以上のコンポーネントキャリアを、上記端末装置がさらに使用する追加のコンポーネントキャリアとして設定する制御部と、を備える通信制御装置が提供される。上記制御部は、上記１つ以上のコンポーネントキャリアのうちの１つのコンポーネントキャリアを、アップリンク制御チャネルで上記端末装置がアップリンク制御情報を送信可能な特別なコンポーネントキャリアとして設定する。【０００９】
また、本開示によれば、マクロセルの１つのコンポーネントキャリアをプライマリコンポーネントキャリアとして使用する端末装置についての情報を取得することと、プロセッサにより、上記マクロセルと一部又は全体で重なるスモールセルの１つ以上のコンポーネントキャリアを、上記端末装置がさらに使用する追加のコンポーネントキャリアとして設定することと、を含む通信制御方法が提供される。上記１つ以上のコンポーネントキャリアを上記追加のコンポーネントキャリアとして設定することは、上記１つ以上のコンポーネントキャリアのうちの１つのコンポーネントキャリアを、アップリンク制御チャネルで上記端末装置がアップリンク制御情報を送信可能な特別なコンポーネントキャリアとして設定すること、を含む。【００１０】
また、本開示によれば、端末装置であって、上記端末装置が、マクロセルの１つのコンポーネントキャリアをプライマリコンポーネントキャリアとして使用し、上記マクロセルと一部又は全体で重なるスモールセルの１つ以上のコンポーネントキャリアが、上記端末装置がさらに使用する追加のコンポーネントキャリアとして設定され、上記１つ以上のコンポーネントキャリアのうちの１つのコンポーネントキャリアが、アップリンク制御チャネルで上記端末装置がアップリンク制御情報を送信可能な特別なコンポーネントキャリアとして設定される場合に、上記１つのコンポーネントキャリアについての情報を取得する取得部と、上記１つのコンポーネントキャリアにおいて上記アップリンク制御チャネルで上記アップリンク制御情報が送信されるように、上記１つのコンポーネントキャリアにおける無線通信を制御する制御部と、を備える端末装置が提供される。
【発明の効果】
【００１１】
以上説明したように本開示によれば、キャリアアグリゲーションのケースにおいてバックホールによる無線通信への影響を低減することが可能となる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１２】
【図１】各ＵＥのＰＣＣの一例を説明するための説明図である。
【図２】無線リンク障害（ＲＬＦ）の検出からその後の手続きの例を説明するための第１の説明図である。
【図３】無線リンク障害（ＲＬＦ）の検出からその後の手続きの例を説明するための第２の説明図である。
【図４】マクロセルとスモールセルとで別々の周波数帯域が用いられるシナリオの一例を説明するための説明図である。
【図５】本開示の実施形態に係る通信システムの概略的な構成を説明する。
【図６】同実施形態に係るマクロ基地局の構成の一例を説明する。
【図７】サブＰＣＣの設定の一例を説明するための説明図である。
【図８】サブＰＣＣに付随するＳＣＣの設定の一例を説明するための説明図である。
【図９】ＰＣＣに付随するＳＣＣの設定の一例を説明するための説明図である。
【図１０】同実施形態に係る端末装置の構成の一例を示すブロック図である。
【図１１】同実施形態に係る追加のＣＣの設定に係る処理の概略的な流れの一例を示すフローチャートである。
【図１２】同実施形態に係る接続再構成の手続きの概略的な流れの第１の例を示すフローチャートである。
【図１３】同実施形態に係る接続再構成の手続きの概略的な流れの第２の例を示すフローチャートである。
【図１４】同実施形態に係る接続再構成の手続きの概略的な流れの第３の例を示すフローチャートである。
【図１５】サブＰＣＣの変更及びＳＣＣの付随の例を説明するための説明図である。
【図１６】同実施形態の第１の変形例に係る接続再構成の手続きの概略的な流れの一例を示すフローチャートである。
【図１７】無線リンク障害（ＲＬＦ）の発生に関連する一連の動作の第１の例を説明するための説明図である。
【図１８】無線リンク障害（ＲＬＦ）の発生に関連する一連の動作の第２の例を説明するための説明図である。
【図１９】無線リンク障害（ＲＬＦ）の発生に関連する一連の動作の第３の例を説明するための説明図である。
【図２０】無線リンク障害（ＲＬＦ）の発生に関連する一連の動作の第４の例を説明するための説明図である。
【図２１】同実施形態の第２の変形例に係る接続再確立の手続きの概略的な流れの一例を示すフローチャートである。
【図２２】本開示に係る技術が適用され得るｅＮＢの概略的な構成の第１の例を示すブロック図である。
【図２３】本開示に係る技術が適用され得るｅＮＢの概略的な構成の第２の例を示すブロック図である。
【図２４】本開示に係る技術が適用され得るスマートフォンの概略的な構成の一例を示すブロック図である。
【図２５】本開示に係る技術が適用され得るカーナビゲーション装置の概略的な構成の一例を示すブロック図である。
【発明を実施するための形態】
【００１３】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．はじめに
２．通信システムの概略的な構成
３．マクロ基地局の構成
４．端末装置の構成
５．処理の流れ
６．変形例
６．１．第１の変形例
６．２．第２の変形例
７．応用例
７．１．マクロ基地局に関する応用例
７．２．端末装置に関する応用例
８．まとめ
【００１５】
＜＜１．はじめに＞＞
まず、図１〜図３を参照して、リリース１０のキャリアアグリゲーション、リリース１２で想定されるスモールセル、ｅＮＢ間のバックホール、及びキャリアアグリゲーションのためのバックホールの条件を説明する。
【００１６】
（リリース１０のキャリアアグリゲーション）
−コンポーネントキャリア
リリース１０のキャリアアグリゲーションでは、最大で５つのコンポーネントキャリア（ＣＣ：Component  Carrier）が束ねられて、ＵＥ（User  Equipment）により使用される。各ＣＣは、最大２０ＭＨｚ幅の帯域である。キャリアアグリゲーションでは、周波数方向で連続するＣＣが使用される場合と、周波数方向で離れたＣＣが使用される場合とがある。キャリアアグリゲーションでは、使用されるＣＣをＵＥ毎に設定することが可能である。
【００１７】
−ＰＣＣとＳＣＣ
キャリアアグリゲーションでは、ＵＥにより使用される複数のＣＣのうちの１つが特別なＣＣである。当該１つの特別なＣＣは、ＰＣＣ（Primary  Component  Carrier）と呼ばれる。また、上記複数のＣＣのうちの残りは、ＳＣＣ（Secondary  Component  Carrier）と呼ばれる。ＰＣＣは、ＵＥによって異なり得る。以下、この点について図１を参照してより具体的に説明する。
【００１８】
図１は、各ＵＥのＰＣＣの一例を説明するための説明図である。図１を参照すると、ＵＥ３１Ａ及びＵＥ３１Ｂ、並びに５つのＣＣ１〜ＣＣ５が示されている。この例では、ＵＥ３１Ａは、ＣＣ１、ＣＣ２及びＣＣ３という３つのＣＣを使用している。そして、ＵＥ３１Ａは、ＣＣ２をＰＣＣとして使用している。一方、ＵＥ３１Ｂは、ＣＣ２及びＣＣ４という２つのＣＣを使用している。そして、ＵＥ３１Ｂは、ＣＣ４をＰＣＣとして使用している。このように、各ＵＥは、異なるＣＣをＰＣＣとして使用し得る。
【００１９】
ＰＣＣは、複数のＣＣの中で最も重要なＣＣであるので、通信品質が最も安定しているＣＣであることが望ましい。なお、どのＣＣをＰＣＣとするかは、実際には、どのように実装するかに依存する。
【００２０】
ＳＣＣは、ＰＣＣに追加される。また、追加された既存のＳＣＣは、削除されることが可能である。なお、ＳＣＣの変更は、既存のＳＣＣの削除と新たなＳＣＣの追加により行われる。
【００２１】
−ＰＣＣの決定手法及び変更手法
ＵＥの接続が最初に確立され、ＵＥの状態が、ＲＲＣ（Radio  Resource  Control）  ＩｄｌｅからＲＲＣ  Ｃｏｎｎｅｃｔｅｄに遷移する場合には、ＵＥが接続の確立の際に使用するＣＣが、当該ＵＥにとってのＰＣＣとなる。より具体的には、接続確立（Connection  Establishment）の手続きを通じて接続が確立される。その際に、ＵＥの状態は、ＲＲＣ  ＩｄｌｅからＲＲＣ  Ｃｏｎｎｅｃｔｅｄに遷移する。また、上記手続きに使用されるＣＣが、上記ＵＥにとってのＰＣＣとなる。なお、上記手続きは、ＵＥ側から開始される手続きである。
【００２２】
また、ＰＣＣの変更は、周波数間ハンドオーバにより行われる。より具体的には、接続再構成（Connection  Reconfiguration）の手続きにおいてハンドオーバが指示されると、ＰＣＣのハンドオーバが行われ、ＰＣＣが変更される。なお、上記手続きは、ネットワーク側から開始される手続きである。
【００２３】
−ＳＣＣの追加
上述したように、ＳＣＣは、ＰＣＣに追加される。その結果、ＳＣＣは、ＰＣＣに付随する。換言すると、ＳＣＣは、ＰＣＣに従属する。ＳＣＣの追加は、接続再構成の手続きを通じて行われることが可能である。なお、当該手続きは、ネットワーク側から開始される手続きである。
【００２４】
−ＳＣＣの削除
上述したように、ＳＣＣは、削除されることができる。ＳＣＣの削除は、接続再構成の手続きを通じて行われることが可能である。具体的には、メッセージの中で指定される特定のＳＣＣが削除される。なお、上記手続きは、ネットワーク側から開始される手続きである。
【００２５】
また、全てのＳＣＣの削除は、接続再確立（Connection  Re-establishment）の手続きを通じて行われることが可能である。
【００２６】
−ＰＣＣの特別な役割
接続確立の手続き、ＮＡＳ（Non-Access  Stratum）シグナリングの送受信、及び物理アップリンク制御チャネル（ＰＵＣＣＨ：Physical  Uplink  Control  Channel）でのアップリンク制御信号の送受信は、ＳＣＣでは行われず、ＰＣＣのみで行われる。
【００２７】
また、無線リンク障害（ＲＬＦ：Radio  Link  Failure）の検出及びその後の接続再確立の手続きも、ＳＣＣでは行われず、ＰＣＣのみで行われる。以下、この点について、図２及び図３を参照して具体例を説明する。
【００２８】
図２は、ＲＬＦの検出からその後の手続きの例を説明するための第１の説明図である。図２を参照すると、ＵＥは、通常の動作（Normal  Operation）の後に、ＰＣＣについての無線リンク問題（ＲＬＰ：Radio  Link  Problem）を検出すると、タイマＴ３１０を開始させる。そして、タイマＴ３１０が切れる（expire）と、ＵＥは、ＲＬＦを検出し、タイマＴ３１１を開始させ、さらに、接続再確立の手続きを開始する。そして、図２に示される例では、接続再確立の手続きが成功する。また、タイマＴ３１１は停止する。
【００２９】
図３は、無線リンク障害（ＲＬＦ）の検出からその後の手続きの例を説明するための第２の説明図である。図３に示される例では、接続再確立の手続きが成功しない。その結果、タイマＴ３１１が切れる。そして、ＵＥの状態は、ＲＲＣ  ＣｏｎｎｅｃｔｅｄからＲＲＣ  Ｉｄｌｅに遷移する。また、ＰＣＣに付随するＳＣＣが存在する場合には、当該ＳＣＣはリリースされる。
【００３０】
なお、ＳＣＣでは、ＲＬＰが検出されても、このような手続きは行われない。
【００３１】
（リリース１２で想定されるスモールセル）
リリース１２では、マクロセルのｅＮＢとスモールセルのｅＮＢとが別々の周波数帯域を用いるというシナリオが検討されると予想される。以下、この点について図４を参照してより具体的に説明する。
【００３２】
図４は、マクロセルとスモールセルとで別々の周波数帯域が用いられるシナリオの一例を説明するための説明図である。図４を参照すると、マクロセル１０及びそのｅＮＢ１１が示されている。また、マクロセル１０と全体で重複するスモールセル２０及びそのｅＮＢ２１が示されている。さらに、ｅＮＢ１１及びｅＮＢ２１と通信するＵＥ３１も示されている。このようなネットワークにおいて、ｅＮＢ１１は、マクロセル１０の周波数帯域として例えば２ＧＨｚ帯の周波数帯域を使用し、当該周波数帯域を使用してＵＥ３１と通信する。また、ｅＮＢ２１は、スモールセル２０の周波数帯域として例えば５ＧＨｚ帯の周波数帯域を使用し、当該周波数帯域を使用してＵＥ３１と通信する。
【００３３】
また、マクロセルは、スモールセルと比べて広いので、マクロセルのｅＮＢが制御信号の送信を担うというシナリオも検討されている。
【００３４】
（ｅＮＢ間のバックホール）
ｅＮＢ間のバックホールは理想的であるとは限らない。とりわけ、マクロセルのｅＮＢ間のバックホールとは異なり、マクロセルのｅＮＢとスモールセルセルのｅＮＢとの間のバックホール、又はスモールセルのｅＮＢ間のバックホールは、理想的ではない可能性がある。その結果、バックホールでの遅延（例えば、５０ｍｓ程度の遅延）が発生し得る。
【００３５】
このようなｅＮＢ間のバックホールでの遅延は、キャリアアグリゲーションのケースにおいて無線通信に影響を与え得る。その結果、様々な問題が発生する可能性がある。
【００３６】
具体的には、例えば、ＵＥは、マクロセルのＣＣをＰＣＣとして使用し、スモールセルのＣＣをＳＣＣとして使用し得る。この場合に、ＳＣＣについてのアップリンク制御信号（例えば、ＡＣＫ／ＮＡＣＫなど）は、ＰＣＣで送信され得る。さらに、例えば、上記アップリンク制御信号は、バックホールを介して、上記マクロセルのｅＮＢから上記スモールセルのｅＮＢへ送信され得る。このようなケースにおいて、例えば、上記アップリンク制御信号（例えば、ＡＣＫ／ＮＡＣＫなど）は、バックホールでの遅延に起因して、上記スモールセルのｅＮＢに到達するのに多大な時間を要し得る。その結果、上記アップリンク制御信号に基づく上記スモールセルのｅＮＢによる動作が遅れ、例えばＵＥにとっての通信品質が低下し得る。
【００３７】
なお、ｅＮＢ間のバックホールは、論理的には、Ｘ２インタフェースと呼ばれることもある。また、ｅＮＢ間のバックホールは、物理的には、１つ以上の物理的な回線を含む。物理的な回線は、一例として、光ファイバ回線である。ｅＮＢ間のバックホールにおえける通信速度は、当該バックホールの構成（例えば、物理的な各回線の種類、及びデータが経由する装置の数など）に依存する。
【００３８】
（キャリアアグリゲーションのためのバックホールの条件）
例えば、ＳＣＣのダウンリンク信号に対するＡＣＫ（Acknowledgement）は、ＰＣＣのＰＵＣＣＨで送信される。上記ＡＣＫは、ｅＮＢによるデータの再送に使用されるので、上記ＡＣＫの遅延は許容されない。したがって、ＵＥにとってのＰＣＣであるＣＣを使用する第１のｅＮＢと、ＵＥにとってのＳＣＣであるＣＣを使用する第２のｅＮＢとが異なる場合には、当該第１のｅＮＢと当該第２のｅＮＢとの間のバックホールでの遅延はせいぜい１０ｍｓ程度であることが望まれる。
【００３９】
＜＜２．通信システムの概略的な構成＞＞
続いて、図５を参照して、本開示の実施形態に係る通信システム１の概略的な構成を説明する。図５は、本実施形態に係る通信システム１の概略的な構成の一例を示す説明図である。図５を参照すると、通信システム１は、マクロ基地局１００、スモール基地局２００及び端末装置３００を含む。なお、通信システム１は、例えば、ＬＴＥ又はＬＴＥ−Ａｄｖａｎｃｅｄに準拠する通信システムである。
【００４０】
（マクロ基地局１００）
マクロ基地局１００は、マクロセル１０内で端末装置３００との無線通信を行う。例えば、マクロ基地局１００は、キャリアアグリゲーションをサポートする。即ち、マクロ基地局１００は、１つの端末装置３００との無線通信に、複数のコンポーネントキャリア（ＣＣ）を同時に使用することができる。
【００４１】
一例として、２ＭＨｚ帯の１つ以上のＣＣが、マクロセル１０のＣＣとして使用される。即ち、マクロセル１０内では、２ＭＨｚ帯の１つ以上のＣＣが、マクロ基地局１００と端末装置３００との間の無線通信のために使用される。
【００４２】
（スモール基地局２００）
スモール基地局２００は、スモールセル２０内で端末装置３００との無線通信を行う。スモールセル２０は、マクロセル１０と一部又は全体で重なる。例えば、スモール基地局２００も、キャリアアグリゲーションをサポートし、１つの端末装置３００との無線通信に、複数のコンポーネントキャリア（ＣＣ）を同時に使用することができる。
【００４３】
例えば、スモール基地局２００は、（少なくとも同時には）マクロ基地局１００が使用するＣＣとは別のＣＣを使用する。例えば、スモールセル２０内で使用される周波数帯域は、マクロセル１０内で使用される周波数帯域よりも、より高い周波数帯域である。
【００４４】
一例として、５ＭＨｚ帯の１つ以上のＣＣが、スモールセル２０のＣＣとして使用される。即ち、スモールセル２０内では、５ＭＨｚ帯の１つ以上のＣＣが、スモール基地局２００と端末装置３００との間の無線通信に使用される。
【００４５】
（端末装置３００）
端末装置３００は、マクロセル１０内でマクロ基地局１００との無線通信を行う。また、端末装置３００は、スモールセル２０内でスモール基地局２００との無線通信を行う。
【００４６】
また、端末装置３００は、キャリアアグリゲーションをサポートし、１つのＰＣＣ及び１つ以上のＳＣＣを使用して無線通信を行うことができる。一例として、端末装置３００は、１つのＰＣＣ及び１つ以上のＳＣＣを使用してマクロ基地局１００との無線通信を行う。別の例として、端末装置３００は、１つのＰＣＣ及び１つ以上のＳＣＣを使用してスモール基地局２００との無線通信を行う。さらに別の例として、端末装置３００は、１つのＰＣＣ（又は、１つのＰＣＣ及び１つ以上のＳＣＣ）を使用してマクロ基地局１００との無線通信を行いつつ、１つ以上のＳＣＣを使用してスモール基地局２００との無線通信を行う。
【００４７】
＜＜３．マクロ基地局の構成＞＞
続いて、図６〜図９を参照して、本実施形態に係るマクロ基地局１００の構成の一例を説明する。図６は、本実施形態に係るマクロ基地局１００の構成の一例を示すブロック図である。図６を参照すると、マクロ基地局１００は、アンテナ部１１０、無線通信部１２０、ネットワーク通信部１３０、記憶部１４０及び処理部１５０を備える。
【００４８】
（アンテナ部１１０）
アンテナ部１１０は、無線通信部１２０により出力される信号を電波として空間に放射する。また、アンテナ部１１０は、空間の電波を信号に変換し、当該信号を無線通信部１２０へ出力する。
【００４９】
（無線通信部１２０）
無線通信部１２０は、無線通信を行う。例えば、無線通信部１２０は、マクロセル１０内に位置する端末装置３００へのダウンリンク信号を送信し、マクロセル１０内に位置する端末装置３００からのアップリンク信号を受信する。なお、無線通信部１２０は、同時に複数のＣＣにおいて無線通信を行うことができる。
【００５０】
（ネットワーク通信部１３０）
ネットワーク通信部１３０は、他のノードと通信する。例えば、ネットワーク通信部１３０は、バックホールを介してスモール基地局２００と通信する。また、ネットワーク通信部１３０は、コアネットワークノード（例えば、ＭＭＥ（Mobility  Management  Entity）、Ｓ−ＧＷ（Serving  Gateway）など）と通信する。
【００５１】
（記憶部１４０）
記憶部１４０は、マクロ基地局１００の動作のためのプログラム及びデータを一時的にまたは恒久的に記憶する。
【００５２】
（処理部１５０）
処理部１５０は、マクロ基地局１００の様々な機能を提供する。処理部１５０は、情報取得部１５１及び通信制御部１５３を含む。
【００５３】
（情報取得部１５１）
情報取得部１５１は、マクロセル１０の１つのＣＣをＰＣＣとして使用する端末装置についての情報を取得する。
【００５４】
例えば、記憶部１４０は、マクロセル１０の１つのＣＣをＰＣＣとして使用する端末装置についての情報を記憶している。そして、情報取得部１５１は、当該情報の少なくとも一部を記憶部１４０から取得する。
【００５５】
例えば、上記端末装置についての上記情報は、上記端末装置を識別するための識別情報を含む。また、上記端末装置についての上記情報は、上記端末装置のケイパビリティの情報を含んでもよい。当該ケイパビリティの情報は、例えば、上記端末装置がキャリアアグリゲーションをサポートするかを示す情報を含んでもよい。
【００５６】
なお、マクロセル１０の１つのＣＣをＰＣＣとして使用する上記端末装置は、例えば、端末装置３００である。
【００５７】
（通信制御部１５３）
通信制御部１５３は、無線通信に関する制御を行う。
【００５８】
（１）端末装置が使用するＣＣの設定
例えば、通信制御部１５３は、端末装置が使用するＣＣを設定する。
【００５９】
具体的な処理として、例えば、通信制御部１５３は、端末装置が使用するＣＣについての設定情報を更新することにより、当該端末装置が使用するＣＣを設定する。
【００６０】
（１−１）端末装置が使用するＰＣＣの設定
通信制御部１５３は、例えば、端末装置が使用するＰＣＣを設定する。
【００６１】
−接続確立の際の設定
例えば、マクロセル１０のＣＣにおいて端末装置３００の接続が確立される。より具体的には、例えば、マクロ基地局１００及び端末装置３００は、マクロセル１０の１つのＣＣにおいて接続確立（Connection  Establishment）の手続きを行い、その結果、端末装置３００の接続が確立される。この場合に、通信制御部１５３は、上記１つのＣＣを、端末装置３００が使用するＰＣＣとして設定する。
【００６２】
一例として、端末装置が使用するマクロセル１０のＣＣを示す設定情報が、マクロ基地局１００に記憶されている。そして、通信制御部１５３は、マクロセル１０の上記１つのＣＣが端末装置３００にとってのＰＣＣであることを上記設定情報が示すように、上記設定情報を更新する。その結果、上記１つのＣＣが、端末装置３００が使用するＰＣＣとして設定される。すると、マクロ基地局１００は、上記設定情報に従って、上記１つのＣＣをＰＣＣとして使用して、端末装置３００との無線通信を行うようになる。
【００６３】
−ハンドオーバの際の設定
例えば、端末装置３００が使用するＰＣＣが、ハンドオーバによりマクロセル１０の第１のＣＣからマクロセル１０の第２のＣＣに変更される。この場合に、通信制御部１５３は、上記第２のＣＣを、端末装置３００が使用するＰＣＣとして設定する。
【００６４】
一例として、通信制御部１５３は、マクロセル１０の上記第２のＣＣが端末装置３００にとってのＰＣＣであることを上記設定情報が示すように、上記設定情報を更新する。その結果、上記第２のＣＣが、端末装置３００が使用するＰＣＣとして設定される。すると、マクロ基地局１００は、上記設定情報に従って、上記第２のＣＣをＰＣＣとして使用して、端末装置３００との無線通信を行うようになる。
【００６５】
（１−２）端末装置が使用する追加のＣＣの設定
通信制御部１５３は、端末装置が使用する追加のＣＣを設定する。
【００６６】
例えば、通信制御部１５３は、スモールセル２０の１つ以上のＣＣを、マクロセル１０の１つのＣＣをＰＣＣとして使用する端末装置がさらに使用する追加のＣＣとして設定する。
【００６７】
−サブＰＣＣの設定
とりわけ本実施形態では、通信制御部１５３は、例えば、スモールセル２０の上記１つ以上のＣＣのうちの１つのＣＣを、アップリンク制御チャネルで上記端末装置（即ち、マクロセル１０の１つのＣＣをＰＣＣとして使用する端末装置）がアップリンク制御情報を送信可能な特別なＣＣとして設定する。本明細書では、当該特別なＣＣを、「サブＰＣＣ」と呼ぶ。なお、当該特別なＣＣは、サブＰＣＣの代わりに、スモールＰＣＣ又はスーパーＳＣＣなどの別の名称で呼ばれ得る、ということに留意すべきである。以下、図７を参照して、サブＰＣＣの設定の具体例を説明する。
【００６８】
図７は、サブＰＣＣの設定の一例を説明するための説明図である。図７を参照すると、マクロ基地局１００により使用されるＣＣ１及びＣＣ２と、スモール基地局２００により使用されるＣＣ３、ＣＣ４及びＣＣ５とが、示されている。例えば、端末装置３００が、ＣＣ１〜ＣＣ５の５つのＣＣを使用する場合に、通信制御部１５３は、ＣＣ１を、端末装置３００にとってのＰＣＣとして設定し、ＣＣ４を、端末装置３００にとってのサブＰＣＣとして設定する。
【００６９】
−−サブＰＣＣの特徴
上述したように、サブＰＣＣは、スモールセル２０のＣＣである。さらに、サブＰＣＣは、アップリンク制御チャネルで上記端末装置（即ち、マクロセル１０の１つのＣＣをＰＣＣとして使用する端末装置）がアップリンク制御情報を送信可能なＣＣである。
【００７０】
上記アップリンク制御チャネルは、例えば、物理アップリンク制御チャネル（ＰＵＣＣＨ）である。即ち、サブＰＣＣは、ＰＵＣＣＨで上記端末装置がアップリンク制御情報を送信可能なＣＣである。
【００７１】
上記アップリンク制御情報は、例えば、ダウンリンク信号の受信に関する確認応答（ＡＣＫ）及び否定確認応答（ＮＡＣＫ）を含む。即ち、サブＰＣＣは、アップリンク制御チャネル（例えばＰＵＣＣＨ）でＡＣＫ／ＮＡＣＫを送信可能なＣＣである。一例として、当該ＡＣＫ／ＮＡＣＫは、ＨＡＲＱ（Hybrid  Automatic  Repeat  Request）のＡＣＫ／ＮＡＣＫである。
【００７２】
また、上記アップリンク制御情報は、例えば、スケジューリング要求（ＳＲ：Scheduling  Request）を含む。即ち、サブＰＣＣは、アップリンク制御チャネル（例えばＰＵＣＣＨ）でスケジューリング要求（ＳＲ）を送信可能なＣＣである。
【００７３】
また、上記アップリンク制御情報は、例えば、周期的に報告されるチャネル状態情報（ＣＳＩ：Channel  State  Information）を含む。即ち、サブＰＣＣは、アップリンク制御チャネル（例えばＰＵＣＣＨ）で周期的に報告されるＣＳＩを送信可能なＣＣである。なお、ＣＳＩは、例えば、ＣＱＩ（Channel  Quality  Indicator）、ＰＭＩ（Precoding  Matrix  Indicator）、ＰＴＩ（Precoding  Type  Indicator）及び／又はＲＩ（Rank  Indicator）などを含む。
【００７４】
また、上記アップリンク制御情報は、電力制御のための情報を含んでもよい。即ち、サブＰＣＣは、アップリンク制御チャネル（例えばＰＵＣＣＨ）で電力制御のための情報を送信可能なＣＣであってもよい。
【００７５】
以上のようなサブＰＣＣの設定により、例えば、キャリアアグリゲーションのケースにおいてバックホールによる無線通信への影響を低減することが可能になる。
【００７６】
より具体的には、通常、ＳＣＣではアップリンク制御チャネル（ＰＵＣＣＨ）でアップリンク制御情報は送信されず、ＳＣＣについてのアップリンク制御情報はＰＣＣのアップリンク制御チャネル（ＰＵＣＣＨ）で送信される。そのため、ＳＣＣがスモールセル２０のＣＣであり、ＰＣＣがマクロセル１０のＣＣである場合には、バックホールでの遅延により、ＳＣＣについてのアップリンク制御情報がスモール基地局２００に到達するのに多大な時間を要し得る。そこで、上述したように、スモールセル２０の１つのＣＣがサブＰＣＣとして設定される。すると、アップリンク制御情報はサブＰＣＣのアップリンク制御チャネル（ＰＵＣＣＨ）で送信され得る。よって、例えば、バックホールによる無線通信への影響が低減される。
【００７７】
また、例えば、ＡＣＫ／ＮＡＣＫがサブＰＣＣのアップリンク制御チャネル（ＰＵＣＣＨ）上で送信され得るので、ＡＣＫ／ＮＡＣＫがスモール基地局２００に速やかに到達する。よって、適切な再送制御が可能になり得る。
【００７８】
また、例えば、スケジューリング要求がサブＰＣＣのアップリンク制御チャネル（ＰＵＣＣＨ）上で送信され得るので、スケジューリング要求がスモール基地局２００に速やかに到達する。よって、速やかなスケジューリングが可能になり得る。
【００７９】
また、例えば、周期的に報告されるＣＳＩがサブＰＣＣのアップリンク制御チャネル（ＰＵＣＣＨ）上で送信され得るので、上記ＣＳＩがスモール基地局２００に速やかに到達する。よって、上記端末装置の無線通信を速やかに環境に適応させることが可能になり得る。
【００８０】
なお、上述したように、接続確立の手続きは、ＰＣＣにおいて行われる。そのため、端末装置にとってのサブＰＣＣは、当該端末装置により接続確立の手続きが行われないＣＣである。また、例えば、端末装置にとってのサブＰＣＣは、当該端末装置へのＮＡＳシグナリングが行われないＣＣである。
【００８１】
また、例えば、サブＰＣＣは、端末装置ごとに選択されるＣＣである。即ち、ある端末装置のサブＰＣＣは、スモールセル２０の第１のＣＣである場合に、別の端末装置のサブＰＣＣは、スモールセル２０の第２のＣＣであり得る。
【００８２】
−−設定の条件
例えば、通信制御部１５３は、マクロ基地局１００とスモール基地局２００との間のバックホールが所定の品質基準を満たさないものである場合に、スモールセル２０の上記１つ以上のＣＣのうちの上記１つのＣＣをサブＰＣＣとして設定する。
【００８３】
具体的には、例えば、マクロ基地局１００とスモール基地局２００との間のバックホールが上記所定の品質基準を満たすものかを示すバックホール情報が、記憶部１４０に記憶されている。当該バックホール情報は、換言すると、上記バックホールが理想的であるかを示す情報である。通信制御部１５３は、上記バックホール情報から、上記バックホールが上記所定の品質基準を満たすものか（即ち、上記バックホールが理想的か）を確認する。そして、上記バックホールが上記所定の品質基準が満たすものではない場合には、通信制御部１５３は、スモールセル２０の１つのＣＣをサブＰＣＣとして設定する。なお、上記バックホール情報は、予め定められた情報であってもよく、又はバックホールでの通信状況に応じて動的に変更される情報であってもよい。
【００８４】
これにより、例えば、バックホールでの遅延が大きくなり得る場合にサブＰＣＣを設定することが可能になる。
【００８５】
上記所定の品質基準は、一例として、通信速度、スループット及び／又はレイテンシの基準を含む。当然ながら、上記所定の品質基準は、これらの基準に加えて、これらの基準の代わりに、別の品質の基準を含んでもよい。
【００８６】
−−具体的な設定の手法
例えば、端末装置３００による測定（Measurement）の結果（例えば、測定報告（Measurement  Report））に基づいて、スモールセル２０の１つのＣＣが、端末装置３００が使用する追加のＣＣとして決定される。この場合に、マクロ基地局１００とスモール基地局２００との間のバックホールが上記所定の品質基準を満たすものではなく、且つ、端末装置３００のサブＰＣＣがまだ存在しなければ、通信制御部１５３は、スモールセル２０の上記１つのＣＣをサブＰＣＣとして設定する。
【００８７】
一例として、端末装置が使用するスモールセル２０のＣＣを示す設定情報が、スモール基地局２００に記憶されている。そして、通信制御部１５３は、スモールセル２０の上記１つのＣＣが端末装置３００にとってのサブＰＣＣであることを上記設定情報が示すように、スモール基地局２００に上記設定情報を更新させる。一例として、通信制御部１５３は、ネットワーク通信部１３０を介して、上記設定情報の更新を指示するメッセージをスモール基地局２００に提供することにより、スモール基地局２００に上記設定情報を更新させる。その結果、上記１つのＣＣが、端末装置３００が使用するサブＰＣＣとして設定される。すると、スモール基地局２００は、上記設定情報に従って、上記１つのＣＣをサブＰＣＣとして使用して、端末装置３００との無線通信を行うようになる。
【００８８】
−サブＰＣＣに付随するＳＣＣの設定
通信制御部１５３は、例えば、スモールセル２０の上記１つ以上のＣＣ（即ち、上記追加のＣＣとして設定される１つ以上のＣＣ）のうちの、サブＰＣＣとして設定されないＣＣを、サブＰＣＣに付随するＳＣＣとして設定する。例えば、通信制御部１５３は、スモールセル２０の上記１つ以上のＣＣのうちの、サブＰＣＣ以外の残りのＣＣの各々を、サブＰＣＣに付随するＳＣＣとして設定する。以下、図８を参照して、サブＰＣＣに付随するＳＣＣの設定の具体例を説明する。
【００８９】
図８は、サブＰＣＣに付随するＳＣＣの設定の一例を説明するための説明図である。図８を参照すると、マクロ基地局１００により使用されるＣＣ１及びＣＣ２と、スモール基地局２００により使用されるＣＣ３、ＣＣ４及びＣＣ５とが、示されている。例えば、端末装置３００が、ＣＣ１〜ＣＣ５の５つのＣＣを使用する。この例では、通信制御部１５３は、ＣＣ１を、端末装置３００にとってのＰＣＣとして設定し、ＣＣ２を、ＰＣＣに付随するＳＣＣとして設定する。また、通信制御部１５３は、ＣＣ４を、端末装置３００にとってのサブＰＣＣとして設定し、ＣＣ３及びＣＣ５の各々を、サブＰＣＣに付随するＳＣＣとして設定する。
【００９０】
−−サブＰＣＣに付随するＳＣＣの特徴
サブＰＣＣに付随するＳＣＣは、上記アップリンク制御チャネルで端末装置が上記アップリンク制御情報を送信不能なＣＣである。より具体的には、例えば、サブＰＣＣに付随する上記ＳＣＣは、ＰＵＣＣＨで上記端末装置がＡＣＫ／ＮＡＣＫ、スケジューリング要求、及び／又はＣＳＩなどを送信不能なＣＣである。
【００９１】
また、サブＰＣＣに付随するＳＣＣについての上記アップリンク制御情報は、サブＰＣＣの上記アップリンク制御チャネルで送信される。より具体的には、例えば、サブＰＣＣに付随するＳＣＣについてのＡＣＫ／ＮＡＣＫ、スケジューリング要求及び／又はＣＳＩなどは、サブＰＣＣのＰＵＣＣＨで送信される。
【００９２】
これにより、例えば、サブＰＣＣについてのアップリンク制御情報のみではなく、サブＰＣＣに付随するＳＣＣについてのアップリンク制御情報も、サブＰＣＣのアップリンク制御チャネル（ＰＵＣＣＨ）で送信され得る。よって、例えば、バックホールによる無線通信への影響がさらに低減される。
【００９３】
−−設定の条件
サブＰＣＣに付随するＳＣＣの設定の条件は、上述したサブＰＣＣの設定の条件と同じである。即ち、通信制御部１５３は、マクロ基地局１００とスモール基地局２００との間のバックホールが所定の品質基準を満たさないものである場合に、スモールセル２０の上記１つ以上のＣＣのうちの、サブＰＣＣとして設定されないＣＣを、サブＰＣＣに付随するＳＣＣとして設定する。
【００９４】
−−具体的な設定の手法
例えば、端末装置３００による測定の結果（例えば、測定報告）に基づいて、スモールセル２０の１つのＣＣが、端末装置３００が使用する追加のＣＣとして決定される。この場合に、マクロ基地局１００とスモール基地局２００との間のバックホールが上記所定の品質基準を満たすものではなく、且つ、端末装置３００のサブＰＣＣが既に存在していれば、通信制御部１５３は、スモールセル２０の上記１つのＣＣを、サブＰＣＣに付随するＳＣＣとして設定する。
【００９５】
一例として、端末装置が使用するスモールセル２０のＣＣを示す設定情報が、スモール基地局２００に記憶されている。そして、スモールセル２０の上記１つのＣＣが、サブＰＣＣに付随するＳＣＣであることを、上記設定情報が示すように、通信制御部１５３は、スモール基地局２００に上記設定情報を更新させる。一例として、通信制御部１５３は、ネットワーク通信部１３０を介して、上記設定情報の更新を指示するメッセージをスモール基地局２００に提供することにより、スモール基地局２００に上記設定情報を更新させる。その結果、上記１つのＣＣが、サブＰＣＣに付随するＳＣＣとして設定される。すると、スモール基地局２００は、上記設定情報に従って、上記１つのＣＣを、サブＰＣＣに付随するＳＣＣとして使用して、端末装置３００との無線通信を行うようになる。
【００９６】
−ＰＣＣに付随するＳＣＣの設定
通信制御部１５３は、スモールセル２０の上記１つ以上のＣＣ（即ち、上記追加のＣＣとして設定される１つ以上のＣＣ）の各々を、ＰＣＣに付随するＳＣＣとして設定し得る。以下、図９を参照して、ＰＣＣに付随するＳＣＣの設定の具体例を説明する。
【００９７】
図９は、ＰＣＣに付随するＳＣＣの設定の一例を説明するための説明図である。図９を参照すると、マクロ基地局１００により使用されるＣＣ１及びＣＣ２と、スモール基地局２００により使用されるＣＣ３、ＣＣ４及びＣＣ５とが、示されている。例えば、端末装置３００が、ＣＣ１〜ＣＣ５の５つのＣＣを使用する。この例では、通信制御部１５３は、ＣＣ１を、端末装置３００にとってのＰＣＣとして設定し、ＣＣ２〜ＣＣ５を、ＰＣＣに付随するＳＣＣとして設定する。
【００９８】
−−設定の条件
例えば、通信制御部１５３は、マクロ基地局１００とスモール基地局２００との間のバックホールが所定の品質基準を満たすものである場合に、スモールセル２０の上記１つ以上のＣＣの各々をＰＣＣに付随するＳＣＣとして設定する。
【００９９】
具体的には、例えば、上述したように、上記バックホール情報（即ち、マクロ基地局１００とスモール基地局２００との間のバックホールが上記所定の品質基準を満たすものかを示す情報）が、記憶部１４０に記憶されている。通信制御部１５３は、上記バックホール情報から、上記バックホールが上記所定の品質基準を満たすものか（即ち、上記バックホールが理想的か）を確認する。そして、上記バックホールが上記所定の品質基準が満たすものである場合には、通信制御部１５３は、スモールセル２０のＣＣを、ＰＣＣに付随するＳＣＣとして設定する。
【０１００】
これにより、例えば、バックホールでの遅延が小さいと想定される場合に、スモールセルのＣＣを、ＰＣＣに付随するＳＣＣにすることが可能になる。そのため、例えば、スモール基地局２００はデータの送受信に専念し得る。その結果、スモールセル２０におけるスループットが向上し得る。
【０１０１】
−−具体的な設定の手法
例えば、端末装置３００による測定の結果（例えば、測定報告）に基づいて、スモールセル２０の１つのＣＣが、端末装置３００が使用する追加のＣＣとして決定される。この場合に、マクロ基地局１００とスモール基地局２００との間のバックホールが上記所定の品質基準を満たすものであれば、通信制御部１５３は、スモールセル２０の上記１つのＣＣを、ＰＣＣ（マクロセル１０のＣＣ）に付随するＳＣＣとして設定する。
【０１０２】
一例として、端末装置が使用するスモールセル２０のＣＣを示す設定情報が、スモール基地局２００に記憶されている。そして、スモールセル２０の上記１つのＣＣが、ＰＣＣ（マクロセル１０のＣＣ）に付随するＳＣＣであることを、上記設定情報が示すように、通信制御部１５３は、スモール基地局２００に上記設定情報を更新させる。一例として、通信制御部１５３は、ネットワーク通信部１３０を介して、上記設定情報の更新を指示するメッセージをスモール基地局２００に提供することにより、スモール基地局２００に上記設定情報を更新させる。その結果、上記１つのＣＣが、ＰＣＣ（マクロセル１０のＣＣ）に付随するＳＣＣとして設定される。すると、スモール基地局２００は、上記設定情報に従って、上記１つのＣＣを、ＰＣＣに付随するＳＣＣとして使用して、端末装置３００との無線通信を行うようになる。
【０１０３】
以上のように、スモールセル１０のＣＣが、マクロセル１０の１つのＣＣをＰＣＣとして使用する端末装置が使用する追加のＣＣとして設定される。より具体的には、スモールセル１０の当該ＣＣは、サブＰＣＣ、サブＰＣＣに付随するＳＣＣ、又はＰＣＣに付随するＳＣＣとして設定される。
【０１０４】
（２）端末装置への通知
通信制御部１５３は、例えば、端末装置が使用する追加のＣＣとしてＣＣを設定する際に、当該ＣＣを追加することを当該端末装置に通知する。
【０１０５】
例えば、通信制御部１５３は、スモールセル２０のＣＣを、端末装置が使用する追加のＣＣとして設定する際に、スモールセル２０の当該ＣＣを追加することを当該端末装置に通知する。
【０１０６】
−サブＰＣＣの追加の通知
例えば、通信制御部１５３は、スモールセル２０のＣＣを、端末装置が使用する追加のＣＣとして新たに設定する際に、当該ＣＣをサブＰＣＣとして設定する場合には、サブＰＣＣとして当該ＣＣを追加することを上記端末装置に通知する。
【０１０７】
より具体的には、例えば、通信制御部１５３は、接続再構成（Connection  Reconfiguration）の手続きにおけるメッセージの中で、サブＰＣＣとして上記ＣＣを追加することを上記端末装置に通知する。当該メッセージは、例えば、上記ＣＣを特定するための情報と、上記ＣＣがサブＰＣＣであることを示す情報とを含む。また、一例として、上記メッセージは、サブＰＣＣとしてのセカンダリセルの追加のコマンドを伴うメッセージである。
【０１０８】
このような通知により、例えば、マクロセル１０のＣＣをＰＣＣとして使用する端末装置は、どのＣＣが当該端末装置にとってのサブＰＣＣであるかを知ることが可能になる。そのため、当該端末装置は、サブＰＣＣのアップリンク制御チャネルでアップリンク制御情報を実際に送信できるようになる。なお、端末装置は、ＰＣＣでは接続確立の手続きなどを行うので、ＰＣＣは、端末装置にとって自明であるが、端末装置は、サブＰＣＣでは接続確立の手続きなどを行わないので、サブＰＣＣは、端末装置にとって自明ではない。そのため、上述したような通知がとりわけ有効である。
【０１０９】
−サブＰＣＣに付随するＳＣＣの追加の通知
例えば、通信制御部１５３は、スモールセル２０のＣＣを、端末装置が使用する追加のＣＣとして新たに設定する際に、当該ＣＣを、サブＰＣＣに付随するＳＣＣとして設定する場合には、サブＰＣＣに付随するＳＣＣとして当該ＣＣを追加することを上記端末装置に通知する。
【０１１０】
より具体的には、例えば、通信制御部１５３は、接続再構成の手続きにおけるメッセージの中で、サブＰＣＣに付随するＳＣＣとして上記ＣＣを追加することを上記端末装置に通知する。当該メッセージは、例えば、上記ＣＣを特定するための情報と、上記ＣＣがサブＰＣＣに付随するＳＣＣであることを示す情報とを含む。また、一例として、上記メッセージは、サブＰＣＣに付随するＳＣＣとしてのセカンダリセルの追加のコマンドを伴うメッセージである。
【０１１１】
このような通知により、例えば、マクロセル１０のＣＣをＰＣＣとして使用する端末装置は、どのＣＣがサブＰＣＣに付随するＳＣＣであるかを知ることが可能になる。そのため、当該端末装置は、当該ＳＣＣについてのアップリンク制御情報をサブＰＣＣのアップリンク制御チャネルで実際に送信できるようになる。
【０１１２】
−ＰＣＣに付随するＳＣＣの追加の通知
例えば、通信制御部１５３は、スモールセル２０のＣＣを、端末装置が使用する追加のＣＣとして新たに設定する際に、当該ＣＣを、ＰＣＣに付随するＳＣＣとして設定する場合には、当該ＣＣをＳＣＣとして追加することを上記端末装置に通知する。
【０１１３】
一例として、通信制御部１５３は、接続再構成の手続きにおけるメッセージの中で、単に上記ＣＣをＳＣＣとして追加することを上記端末装置に通知する。当該メッセージは、例えば、上記ＣＣを特定するための情報を含む。また、一例として、上記メッセージは、セカンダリセルの追加のコマンドを伴うメッセージである。
【０１１４】
＜＜４．端末装置の構成＞＞
続いて、図１０を参照して、本実施形態に係る端末装置３００の構成の一例を説明する。図１０は、本実施形態に係る端末装置３００の構成の一例を示すブロック図である。図１０を参照すると、端末装置３００は、アンテナ部３１０、無線通信部３２０、記憶部３３０、入力部３４０、表示部３５０及び処理部３６０を備える。
【０１１５】
（アンテナ部３１０）
アンテナ部３１０は、無線通信部３２０により出力される信号を電波として空間に放射する。また、アンテナ部３１０は、空間の電波を信号に変換し、当該信号を無線通信部３２０へ出力する。
【０１１６】
（無線通信部３２０）
無線通信部３２０は、無線通信を行う。例えば、無線通信部３２０は、端末装置３００がマクロセル１０内に位置する場合に、マクロ基地局１００からのダウンリンク信号を受信し、マクロ基地局１００へのアップリンク信号を送信する。また、例えば、無線通信部３２０は、端末装置３００がスモールセル２０内に位置する場合に、スモール基地局２００からのダウンリンク信号を受信し、スモール基地局２００へのアップリンク信号を送信する。
【０１１７】
（記憶部３３０）
記憶部３３０は、端末装置３００の動作のためのプログラム及びデータを一時的にまたは恒久的に記憶する。
【０１１８】
（入力部３４０）
入力部３４０は、端末装置３００のユーザによる入力を受け付ける。そして、入力部３４０は、入力結果を処理部３６０に提供する。
【０１１９】
（表示部３５０）
表示部３５０は、端末装置３００からの出力画面（即ち、出力画像）を表示する。例えば、表示部３５０は、処理部３６０（表示制御部３６５）による制御に応じて、出力画面を表示する。
【０１２０】
（情報取得部３５１）
情報取得部３５１は、端末装置３００がさらに使用する追加のＣＣについての情報を取得する。
【０１２１】
例えば、上記追加のＣＣについての上記情報は、当該追加のＣＣを特定するための情報を含む。一例として、上記追加のＣＣを特定するための当該情報は、上記追加のＣＣを識別するための識別情報である。
【０１２２】
具体例として、スモールセル２０のＣＣが、端末装置３００がさらに使用する追加のＣＣとして設定されると、端末装置３００は、スモールセル２０の上記ＣＣを追加することを通知される。一例として、端末装置３００は、接続再構成の手続きにおけるメッセージの中で、スモールセル２０の上記ＣＣを追加することを通知される。当該メッセージは、上記ＣＣを特定するための情報を含み、当該情報は、記憶部３３０に記憶される。そして、情報取得部３５１は、例えば、記憶部３３０から、上記ＣＣを特定するための情報を取得する。
【０１２３】
なお、第１の例として、上記ＣＣが、サブＰＣＣとして追加される場合には、上記メッセージは、上記ＣＣがサブＰＣＣであることを示す情報をさらに含む。この場合に、上記ＣＣを特定するための情報は、サブＰＣＣを特定するための情報として記憶部３３０に記憶される。第２の例として、上記ＣＣが、サブＰＣＣに付随するＳＣＣとして追加される場合には、上記メッセージは、上記ＣＣがサブＰＣＣに付随するＳＣＣであることを示す情報をさらに含む。この場合に、上記ＣＣを特定するための情報は、サブＰＣＣに付随するＳＣＣを特定するための情報として記憶部３３０に記憶される。第３の例として、上記ＣＣが、ＰＣＣに付随するＳＣＣとして追加される場合には、上記メッセージは、上述したようなさらなる情報は含まない。この場合に、上記ＣＣを特定するための情報は、ＰＣＣに付随するＳＣＣを特定するための情報として記憶部３３０に記憶される。
【０１２４】
−サブＰＣＣのケース
例えば、端末装置３００が、マクロセル１０の１つのＣＣをＰＣＣとして使用している。また、スモールセル２０の１つ以上のＣＣが、端末装置３００がさらに使用する追加のＣＣとして設定され、当該１つ以上のＣＣのうちの１つのＣＣが、サブＰＣＣとして設定される。この場合に、情報取得部３５１は、当該１つのＣＣ（即ち、サブＰＣＣ）についての情報を取得する。
【０１２５】
−サブＰＣＣに付随するＳＣＣのケース
例えば、端末装置３００が、マクロセル１０の１つのＣＣをＰＣＣとして使用している。また、スモールセル２０の１つ以上のＣＣが、端末装置３００がさらに使用する追加のＣＣとして設定され、当該１つ以上のＣＣのうちの、サブＰＣＣとして設定されないＣＣが、サブＰＣＣに付随するＳＣＣとして設定される。この場合に、情報取得部３５１は、サブＰＣＣに付随するＳＣＣとして設定される当該１つのＣＣについての情報を取得する。
【０１２６】
−ＰＣＣに付随するＳＣＣのケース
例えば、端末装置３００が、マクロセル１０の１つのＣＣをＰＣＣとして使用している。また、スモールセル２０の１つ以上のＣＣの各々が、端末装置３００がさらに使用する追加のＣＣとして設定され、より具体的には、ＰＣＣに付随するＳＣＣとして設定され得る。この場合に、情報取得部３５１は、ＰＣＣに付随するＳＣＣとしてそれぞれ設定される上記１つ以上のＣＣについての情報を取得する。
【０１２７】
（通信制御部３６３）
通信制御部３６３は、端末装置３００の無線通信に関する制御を行う。
【０１２８】
例えば、通信制御部３６３は、アップリンク制御チャネルでアップリンク制御情報が送信されるように、端末装置３００の無線通信を制御する。
【０１２９】
−サブＰＣＣのアップリンク制御チャネルでの送信
とりわけ本実施形態では、通信制御部３６３は、サブＰＣＣとして設定される１つのＣＣにおいてアップリンク制御チャネルでアップリンク制御情報が送信されるように、上記１つのＣＣにおける無線通信を制御する。
【０１３０】
上述したように、例えば、上記アップリンク制御チャネルは、ＰＵＣＣＨである。また、上記アップリンク制御情報は、ＡＣＫ／ＮＡＣＫ、スケジューリング要求、及び／又は周期的に報告されるＣＳＩなどを含む。即ち、例えば、通信制御部３６３は、サブＰＣＣとして設定される１つのＣＣにおいて、ＰＵＣＣＨで、ＡＣＫ／ＮＡＣＫ、スケジューリング要求、及び／又は周期的に報告されるＣＳＩなどが送信されるように、上記１つのＣＣにおける無線通信を制御する。
【０１３１】
具体的には、例えば、通信制御部３６３は、サブＰＣＣとして設定される上記１つのＣＣの上記アップリンク制御チャネルのための無線リソースに、上記アップリンク制御情報の信号をマッピングする。これにより、上記アップリンク制御情報が、上記アップリンク制御チャネルで送信される。
【０１３２】
なお、通信制御部３６３は、例えば、サブＰＣＣについてのアップリンク制御情報のみではなく、サブＰＣＣに付随するＳＣＣについてのアップリンク制御情報も、サブＰＣＣのアップリンク制御チャネルで送信されるように、サブＰＣＣにおける無線通信を制御する。
【０１３３】
−ＰＣＣのアップリンク制御チャネルでの送信
例えば、通信制御部３６３は、ＰＣＣとして設定される１つのＣＣにおいてアップリンク制御チャネルでアップリンク制御情報が送信されるように、上記１つのＣＣにおける無線通信を制御する。ＰＣＣとして設定される上記１つのＣＣは、例えば、マクロセル１０のＣＣである。
【０１３４】
例えば、通信制御部３６３は、ＰＣＣとして設定される１つのＣＣにおいて、ＰＵＣＣＨで、ＡＣＫ／ＮＡＣＫ、スケジューリング要求、及び／又は周期的に報告されるＣＳＩなどが送信されるように、上記１つのＣＣにおける無線通信を制御する。
【０１３５】
具体的には、例えば、通信制御部３６３は、ＰＣＣとして設定される上記１つのＣＣの上記アップリンク制御チャネルのための無線リソースに、上記アップリンク制御情報の信号をマッピングする。これにより、上記アップリンク制御情報が、上記アップリンク制御チャネルで送信される。
【０１３６】
なお、通信制御部３６３は、例えば、ＰＣＣについてのアップリンク制御情報のみではなく、ＰＣＣに付随するＳＣＣについてのアップリンク制御情報も、ＰＣＣのアップリンク制御チャネルで送信されるように、ＰＣＣにおける無線通信を制御する。
【０１３７】
（表示制御部３６５）
表示制御部３６５は、表示部３５０による出力画面の表示を制御する。例えば、表示制御部３６５は、表示部３５０により表示される出力画面を生成し、当該出力画面を表示部３５０に表示させる。
【０１３８】
＜＜５．処理の流れ＞＞
続いて、図１１〜図１４を参照して、本実施形態に係る処理の例を説明する。
【０１３９】
（追加のＣＣの設定に係る処理）
図１１は、本実施形態に係る追加のＣＣの設定に係る処理の概略的な流れの一例を示すフローチャートである。なお、当該処理は、マクロセル１０のＣＣをＰＣＣとして使用する端末装置３００がさらに使用する追加のＣＣとしてスモールセル２０のＣＣが決定された後に実行される処理である。
【０１４０】
まず、マクロ基地局１００とスモール基地局２００との間のバックホールが所定の品質基準を満たすものである場合には（Ｓ４０１：ＹＥＳ）、通信制御部１５３は、スモールセル２０のＣＣを、ＰＣＣ（マクロセル１０のＣＣ）に付随するＳＣＣとして新たに設定する（Ｓ４０３）。そして、処理は終了する。
【０１４１】
上記バックホールが上記所定の品質基準を満たさないものである場合に（Ｓ４０１：ＮＯ）、スモールセル２０の別のＣＣが端末装置３００にとってのサブＰＣＣとして既に設定されていれば（Ｓ４０５：ＹＥＳ）、通信制御部１５３は、スモールセル２０のＣＣを、サブＰＣＣに付随するＳＣＣとして新たに設定する（Ｓ４０７）。そして、処理は終了する。
【０１４２】
スモールセル２０のいずれのＣＣも端末装置３００にとってのサブＰＣＣとしてまだ設定されていなければ（Ｓ４０５：ＮＯ）、通信制御部１５３は、スモールセル２０のＣＣを、サブＰＣＣとして新たに設定する（Ｓ４０９）。そして、処理は終了する。
【０１４３】
（接続再構成の手続き：ＰＣＣに付随するＳＣＣ）
図１２は、本実施形態に係る接続再構成の手続きの概略的な流れの第１の例を示すフローチャートである。当該第１の例は、図１１に示されるステップＳ４０３のようにスモールセル２０のＣＣがＰＣＣに付随するＳＣＣとして新たに設定される場合の例である。
【０１４４】
まず、マクロ基地局１００は、端末装置３００にとってのＰＣＣ（マクロセル１０のＣＣ）において、セカンダリセルの追加のコマンドを伴うＲＲＣ接続再構成（RRC  Connection  Reconfiguration）のメッセージを端末装置３００へ送信する（Ｓ４２１）。
【０１４５】
そして、端末装置３００は、接続再構成が完了すると、端末装置３００にとってのＰＣＣにおいて、ＲＲＣ接続再構成完了（RRC  Connection  Reconfiguration  Complete）のメッセージをマクロ基地局１００に送信する（Ｓ４２３）。そして、手続きは終了する。
【０１４６】
（接続再構成の手続き：サブＰＣＣ）
図１３は、本実施形態に係る接続再構成の手続きの概略的な流れの第２の例を示すフローチャートである。当該第２の例は、図１１に示されるステップＳ４０９のようにスモールセル２０のＣＣがサブＰＣＣとして新たに設定される場合の例である。
【０１４７】
まず、マクロ基地局１００は、端末装置３００にとってのＰＣＣ（マクロセル１０のＣＣ）において、サブＰＣＣとしてのセカンダリセルの追加のコマンドを伴うＲＲＣ接続再構成（RRC  Connection  Reconfiguration）のメッセージを端末装置３００へ送信する（Ｓ４３１）。
【０１４８】
そして、端末装置３００は、接続再構成が完了すると、端末装置３００にとってのＰＣＣにおいて、ＲＲＣ接続再構成完了（RRC  Connection  Reconfiguration  Complete）のメッセージをマクロ基地局１００に送信する（Ｓ４３３）。そして、手続きは終了する。
【０１４９】
（接続再構成の手続き：サブＰＣＣに付随するＳＣＣ）
図１４は、本実施形態に係る接続再構成の手続きの概略的な流れの第３の例を示すフローチャートである。当該第３の例は、図１１に示されるステップＳ４０７のようにスモールセル２０のＣＣがサブＰＣＣに付随するＳＣＣとして新たに設定される場合の例である。
【０１５０】
まず、マクロ基地局１００は、端末装置３００にとってのＰＣＣ（マクロセル１０のＣＣ）において、サブＰＣＣに付随するＳＣＣとしてのセカンダリセルの追加のコマンドを伴うＲＲＣ接続再構成（RRC  Connection  Reconfiguration）のメッセージを端末装置３００へ送信する（Ｓ４４１）。
【０１５１】
そして、端末装置３００は、接続再構成が完了すると、端末装置３００にとってのＰＣＣにおいて、ＲＲＣ接続再構成完了（RRC  Connection  Reconfiguration  Complete）のメッセージをマクロ基地局１００に送信する（Ｓ４３３）。そして、手続きは終了する。
【０１５２】
＜＜６．変形例＞＞
続いて、図１５〜図２１を参照して、本実施形態の変形例を説明する。
【０１５３】
＜６．１．第１の変形例＞
まず、図１５及び図１６を参照して、本実施形態の第１の変形例を説明する。
【０１５４】
本実施形態の第１の変形例によれば、サブＰＣＣに付随するＳＣＣとして設定されている１つのＣＣを、サブＰＣＣとして新たに設定することにより、サブＰＣＣが変更される。これにより、例えば、より小さい負担でサブＰＣＣを変更することが可能になる。
【０１５５】
（マクロ基地局１００：通信制御部１５３）
（１−２）端末装置が使用する追加のＣＣの設定
−サブＰＣＣの設定
本実施形態の第１の変形例では、通信制御部１５３は、サブＰＣＣに付随するＳＣＣとして設定されている１つのＣＣを、サブＰＣＣとして新たに設定することにより、サブＰＣＣを変更する。
【０１５６】
例えば、端末装置３００による測定の結果（例えば、測定報告）に基づいて、サブＰＣＣとして設定されている第１のＣＣから、サブＰＣＣに付随するＳＣＣとして設定されている第２ＣＣへ、サブＰＣＣを変更することが、決定される。そして、通信制御部１５３は、上記第２のＣＣをサブＰＣＣとして設定する。
【０１５７】
一例として、端末装置が使用するスモールセル２０のＣＣを示す設定情報が、スモール基地局２００に記憶されている。そして、通信制御部１５３は、スモールセル２０の上記第２のＣＣが端末装置３００にとってのサブＰＣＣであることを上記設定情報が示すように、スモール基地局２００に上記設定情報を更新させる。その結果、上記第２のＣＣが、端末装置３００が使用するサブＰＣＣとして設定される。すると、スモール基地局２００は、上記設定情報に従って、上記第２のＣＣをサブＰＣＣとして使用して、端末装置３００との無線通信を行うようになる。このように、サブＰＣＣが、上記第１のＣＣから上記第２のＣＣへ変更される。
【０１５８】
これにより、例えば、サブＰＣＣの変更は、ＰＣＣの変更とは異なり、ハンドオーバのような複雑な手続きを必要としない。そのため、例えば、より小さい負担でサブＰＣＣが変更され得る。
【０１５９】
なお、サブＰＣＣとして設定されていた上記第１のＣＣは、変更後のサブＰＣＣ（即ち、上記第２のＣＣ）に付随するＳＣＣとして設定されてもよく、又は端末装置３００が使用する追加のＣＣから削除されてもよい。
【０１６０】
−サブＰＣＣの変更後のサブＰＣＣへの付随
例えば、サブＰＣＣに付随するＳＣＣとして設定されている他のＣＣは、サブＰＣＣの変更後、サブＰＣＣとして新たに設定される上記１つのＣＣに付随する。以下、この点について図１５を参照して具体例を説明する。
【０１６１】
図１５は、サブＰＣＣの変更及びＳＣＣの付随の例を説明するための説明図である。図１５を参照すると、例えば、サブＰＣＣの変更前には、ＣＣ４は、端末装置３００にとってのサブＰＣＣであり、ＣＣ３及びＣＣ５の各々は、サブＰＣＣに付随するＳＣＣである。その後、サブＰＣＣが変更され、ＣＣ３が、端末装置３００にとってのサブＰＣＣとなり、ＣＣ４及びＣＣ５の各々が、サブＰＣＣに付随するＳＣＣとなる。このように、ＣＣ５は、サブＰＣＣの変更前は、その時点でのサブＰＣＣであるＣＣ４に付随するが、サブＰＣＣの変更後は、その時点でのサブＰＣＣであるＣＣ３に付随する。
【０１６２】
これにより、例えば、サブＰＣＣが変更されたとしても、サブＰＣＣに付随するＳＣＣは、デアクティベート（deactivate）されず、継続して使用される。そのため、ＣＣを再度追加する必要はないので、負担が小さくなり得る。即ち、より小さい負担でサブＰＣＣが変更され得る。
【０１６３】
なお、例えば、スモールセル２０の２つ以上のＣＣが、端末装置３００が使用する追加のＣＣであり、当該２つ以上のＣＣのうちの１つＣＣが、サブＰＣＣである場合には、上記２つ以上のＣＣのうちの残りのＣＣは、サブＰＣＣに付随するＳＣＣである。よって、ＣＣ（例えば、図１５のＣＣ５）の付随先は、特に何らかの処理を行うことなく変更され得る。しかしながら、ＣＣの付随先を示す付随情報が存在する場合には、当然ながら、当該付随情報が更新されることにより、ＣＣ（例えば、図１５のＣＣ５）の付随先が変更されてもよい。当該付随情報は、上記設定情報の一部の情報であってもよく、又は上記設定情報とは別の情報であってもよい。
【０１６４】
（２）端末装置への通知
−サブＰＣＣの変更の通知
例えば、通信制御部１５３は、サブＰＣＣの変更の際に、サブＰＣＣとして新たに設定される上記１つのＣＣにサブＰＣＣが変更されることを上記端末装置に通知する。
【０１６５】
より具体的には、例えば、通信制御部１５３は、接続再構成（Connection  Reconfiguration）の手続きにおけるメッセージの中で、サブＰＣＣとして新たに設定される上記１つのＣＣにサブＰＣＣが変更されることを上記端末装置に通知する。当該メッセージは、例えば、変更後のサブＰＣＣとなるＣＣを特定するための情報と、サブＰＣＣが当該ＣＣに変更されることを示す情報とを含む。一例として、上記メッセージは、サブＰＣＣの変更のコマンドを伴うメッセージである。
【０１６６】
このような通知により、例えば、マクロセル１０のＣＣをＰＣＣとして使用する端末装置は、サブＰＣＣの変更を知ることが可能になる。そのため、当該端末装置は、サブＰＣＣの変更後にサブＰＣＣのアップリンク制御チャネルでアップリンク制御情報を実際に送信できるようになる。
【０１６７】
（端末装置３００：通信制御部３６３）
本実施形態の第１の実施形態では、上述したようにサブＰＣＣが変更される。即ち、サブＰＣＣに付随するＳＣＣとして設定されている１つのＣＣが、サブＰＣＣとして新たに設定される。この場合に、通信制御部３６３は、サブＰＣＣとして新たに設定される上記１つのＣＣにおいてアップリンク制御チャネルでアップリンク制御情報が送信されるように、上記１つのＣＣにおける無線通信を制御する。
【０１６８】
（処理の流れ：接続再構成の手続き）
図１６は、本実施形態の第１の変形例に係る接続再構成の手続きの概略的な流れの一例を示すフローチャートである。当該手続きは、サブＰＣＣが変更されるケースの手続きである。
【０１６９】
まず、マクロ基地局１００は、端末装置３００にとってのＰＣＣ（マクロセル１０のＣＣ）において、サブＰＣＣの変更のコマンドを伴うＲＲＣ接続再構成（RRC  Connection  Reconfiguration）のメッセージを端末装置３００へ送信する（Ｓ４５１）。
【０１７０】
そして、端末装置３００は、接続再構成が完了すると、端末装置３００にとってのＰＣＣにおいて、ＲＲＣ接続再構成完了（RRC  Connection  Reconfiguration  Complete）のメッセージをマクロ基地局１００に送信する（Ｓ４５３）。そして、手続きは終了する。
【０１７１】
＜６．２．第２の変形例＞
次に、図１７〜図２１を参照して、本実施形態の第２の変形例を説明する。
【０１７２】
本実施形態の第２の変形例によれば、サブＰＣＣにおいて無線リンク障害（ＲＬＦ）が発生する場合に、所定の手続きを通じて、サブＰＣＣに付随するＳＣＣとして設定されている１つのＣＣが、サブＰＣＣとして新たに設定される。これにより、例えば、サブＰＣＣにおいてＲＬＦが発生し、サブＰＣＣが使用不能になったとしても、サブＰＣＣに付随していたＳＣＣが継続して使用されることが可能になる。そのため、例えば、通信品質が向上し得る。
【０１７３】
（マクロ基地局１００：通信制御部１５３）
（１−２）端末装置が使用する追加のＣＣの設定
−サブＰＣＣの設定
本実施形態の第２の変形例では、通信制御部１５３は、サブＰＣＣにおいて無線リンク障害（ＲＬＦ）が発生する場合に、所定の手続きを通じて、サブＰＣＣに付随するＳＣＣとして設定されている１つのＣＣをサブＰＣＣとして新たに設定する。即ち、通信制御部１５３は、サブＰＣＣにおいてＲＬＦが発生する場合に、サブＰＣＣを変更する。
【０１７４】
上記所定の手続きは、例えば、サブＰＣＣの変更のための接続再構成（Connection  Reconfiguration）の手続きである。以下、図１７を参照して、ＲＬＦの発生に関連する一連の動作を説明する。
【０１７５】
図１７は、無線リンク障害（ＲＬＦ）の発生に関連する一連の動作の第１の例を説明するための説明図である。図１７を参照すると、端末装置３００は、通常の動作（Normal  Operation）の後に、サブＰＣＣについての無線リンク問題（ＲＬＰ）を検出すると、タイマ１を開始させる。そして、タイマ１が切れる（expire）と、端末装置３００は、ＲＬＦを検出し、タイマＴ２を開始させる。また、端末装置３００は、ＲＲＣシグナリングにより、タイマ１が切れたことをマクロ基地局１００に通知する。そして、マクロ基地局１００は、サブＰＣＣの変更のコマンドを伴うＲＲＣ接続再構成（RRC  Connection  Reconfiguration）のメッセージを端末装置３００へ送信する。そして、図１７に示される例では、接続再構成の手続きが成功し、サブＰＣＣはうまく変更される。また、タイマ２は停止する。
【０１７６】
これにより、例えば、サブＰＣＣにおいてＲＬＦが発生し、サブＰＣＣが使用不能になったとしても、サブＰＣＣに付随していたＳＣＣが継続して使用されることが可能になる。そのため、例えば、通信品質が向上し得る。
【０１７７】
一方、例えば、上記所定の手続きが所定の期間内に完了しない場合には、通信制御部１５３は、サブＰＣＣとサブＰＣＣに付随するＳＣＣとの上記端末装置による使用を停止する。例えば、サブＰＣＣとサブＰＣＣに付随するＳＣＣは、デアクティベートされる。以下、この点について、図１８を参照して具体例を説明する。
【０１７８】
図１８は、無線リンク障害（ＲＬＦ）の発生に関連する一連の動作の第２の例を説明するための説明図である。図１８に示される例では、図１７に示される例とは異なり、ＲＲＣ接続再構成の手続きが成功する前に、タイマ２が切れる。すると、通信制御部１５３は、サブＰＣＣ及びサブＰＣＣに付随するＳＣＣをデアクティベートする。
【０１７９】
これにより、例えば、サブＰＣＣでの通信が困難であるにもかかわらず、サブＰＣＣが継続して使用されることを回避することができる。また、例えば、サブＰＣＣに付随するＳＣＣについてのアップリンク制御情報（例えば、ＡＣＫ／ＮＡＣＫ、スケジューリング要求、及び周期的に報告されるＣＳＩなど）がサブＰＣＣで送信することが困難であるにもかかわらず、上記ＳＣＣが継続して使用されることを回避することができる。その結果、悪化した通信品質を伴う無線通信が速やかに停止され得る。
【０１８０】
なお、上記所定の手続きは、例えば、サブＰＣＣの変更のための接続再確立（Connection  Re-establishment）の手続きであってもよい。以下、この点について図１９及び図２０を参照して具体例を説明する。
【０１８１】
図１９は、無線リンク障害（ＲＬＦ）の発生に関連する一連の動作の第３の例を説明するための説明図である。図１９を参照すると、端末装置３００は、通常の動作の後に、サブＰＣＣについての無線リンク問題（ＲＬＰ）を検出すると、タイマ１を開始させる。そして、タイマ１が切れると、端末装置３００は、ＲＬＦを検出し、タイマＴ２を開始させる。また、端末装置３００は、サブＰＣＣの変更の要求を伴うＲＲＣ接続再確立要求（RRC  Connection  Re-establishment  Request）のメッセージをマクロ基地局１００へ送信する。そして、図１９に示される例では、接続再確立の手続きが成功し、サブＰＣＣはうまく変更される。また、タイマ２は停止する。
【０１８２】
図２０は、無線リンク障害（ＲＬＦ）の発生に関連する一連の動作の第４の例を説明するための説明図である。図２０に示される例では、図１９に示される例と異なり、ＲＲＣ接続再確立の手続きが成功する前に、タイマ２が切れる。すると、通信制御部１５３は、サブＰＣＣ及びサブＰＣＣに付随するＳＣＣをデアクティベートする。
【０１８３】
（端末装置３００：通信制御部３６３）
本実施形態の第２の実施形態では、上述したようにＲＬＦの発生に応じてサブＰＣＣが変更される。即ち、サブＰＣＣに付随するＳＣＣとして設定されている１つのＣＣが、サブＰＣＣとして新たに設定される。この場合に、通信制御部３６３は、サブＰＣＣとして新たに設定される上記１つのＣＣにおいてアップリンク制御チャネルでアップリンク制御情報が送信されるように、上記１つのＣＣにおける無線通信を制御する。
【０１８４】
また、図１７〜図２０を参照して説明したように、端末装置３００（例えば、通信制御部３６３）は、例えば、サブＰＣＣについてのＲＬＰ及びＲＬＦの検出、タイマ１及びタイマ２の制御、及び上記所定の手続き（接続再構成の手続き又は接続再確立の手続き）の実行などを行い得る。
【０１８５】
（処理の流れ：接続再構成の手続き）
本実施形態の第２の変形例に係る接続再構成（Connection  Reconfiguration）の手続きは、例えば、図１６を参照して説明した第１の変形例に係る接続再構成の手続きと同じである。
【０１８６】
（処理の流れ：接続再確立の手続き）
図２１は、本実施形態の第２の変形例に係る接続再確立（Connection  Re-establishment）の手続きの概略的な流れの一例を示すフローチャートである。当該手続きは、例えば、サブＰＣＣにおいてＲＬＦが検出された後に行われる。
【０１８７】
まず、端末装置３００は、端末装置３００にとってのＰＣＣ（マクロセル１０のＣＣ）において、サブＰＣＣの変更の要求を伴うＲＲＣ接続再確立要求（RRC  Connection  Re-establishment  Request）のメッセージをマクロ基地局１００へ送信する（Ｓ４６１）。
【０１８８】
すると、マクロ基地局１００は、端末装置３００にとってのＰＣＣにおいて、サブＰＣＣの変更のコマンドを伴うＲＲＣ接続再確立（RRC  Connection  Re-establishment）のメッセージを端末装置３００へ送信する（Ｓ４６３）。
【０１８９】
そして、端末装置３００は、端末装置３００にとってのＰＣＣにおいて、ＲＲＣ接続再確立完了（RRC  Connection  Re-establishment  Complete）のメッセージをマクロ基地局１００に送信する（Ｓ４６５）。そして、手続きは終了する。
【０１９０】
＜＜７．応用例＞＞
本開示に係る技術は、様々な製品へ応用可能である。例えば、マクロ基地局１００は、ｅＮＢ（evolved  Node  B）として実現されてもよい。その代わりに、マクロ基地局１００は、ＮｏｄｅＢ又はＢＴＳ（Base  Transceiver  Station）などの他の種類の基地局として実現されてもよい。マクロ基地局１００は、無線通信を制御する本体（基地局装置ともいう）と、本体とは別の場所に配置される１つ以上のＲＲＨ（Remote  Radio  Head）とを含んでもよい。
【０１９１】
また、例えば、端末装置３００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置３００は、Ｍ２Ｍ（Machine  To  Machine）通信を行う端末（ＭＴＣ（Machine  Type  Communication）端末ともいう）として実現されてもよい。さらに、端末装置３００は、これら端末に搭載される無線通信モジュール（例えば、１つのダイで構成される集積回路モジュール）であってもよい。
【０１９２】
＜７．１．マクロ基地局に関する応用例＞
（第１の応用例）
図２２は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１９３】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２２に示したように複数のアンテナ８１０を有し、複数のアンテナ８１０は、例えばｅＮＢ８００が使用する複数の周波数帯域にそれぞれ対応してもよい。なお、図２２にはｅＮＢ８００が複数のアンテナ８１０を有する例を示したが、ｅＮＢ８００は単一のアンテナ８１０を有してもよい。
【０１９４】
基地局装置８２０は、コントローラ８２１、メモリ８２２、ネットワークインタフェース８２３及び無線通信インタフェース８２５を備える。
【０１９５】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１９６】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１９７】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１９８】
無線通信インタフェース８２５は、図２２に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２２に示したように複数のＲＦ回路８２７を含み、複数のＲＦ回路８２７は、例えば複数のアンテナ素子にそれぞれ対応してもよい。なお、図２２には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１９９】
（第２の応用例）
図２３は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２００】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２３に示したように複数のアンテナ８４０を有し、複数のアンテナ８４０は、例えばｅＮＢ８３０が使用する複数の周波数帯域にそれぞれ対応してもよい。なお、図２３にはｅＮＢ８３０が複数のアンテナ８４０を有する例を示したが、ｅＮＢ８３０は単一のアンテナ８４０を有してもよい。
【０２０１】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２２を参照して説明したコントローラ８２１、メモリ８２２及びネットワークインタフェース８２３と同様のものである。
【０２０２】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２２を参照して説明したＢＢプロセッサ８２６と同様のものである。無線通信インタフェース８５５は、図２３に示したように複数のＢＢプロセッサ８５６を含み、複数のＢＢプロセッサ８５６は、例えばｅＮＢ８３０が使用する複数の周波数帯域にそれぞれ対応してもよい。なお、図２３には無線通信インタフェース８５５が複数のＢＢプロセッサ８５６を含む例を示したが、無線通信インタフェース８５５は単一のＢＢプロセッサ８５６を含んでもよい。
【０２０３】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２０４】
また、ＲＲＨ８６０は、接続インタフェース８６１及び無線通信インタフェース８６３を備える。
【０２０５】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２０６】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２３に示したように複数のＲＦ回路８６４を含み、複数のＲＦ回路８６４は、例えば複数のアンテナ素子にそれぞれ対応してもよい。なお、図２３には無線通信インタフェース８６３が複数のＲＦ回路８６４を含む例を示したが、無線通信インタフェース８６３は単一のＲＦ回路８６４を含んでもよい。
【０２０７】
図２２及び図２３に示したｅＮＢ８００及びｅＮＢ８３０において、図６を参照して説明した情報取得部１５１及び通信制御部１５３は、無線通信インタフェース８２５並びに無線通信インタフェース８５５及び／又は無線通信インタフェース８６３において実装されてもよい。また、これら機能の少なくとも一部は、コントローラ８２１及びコントローラ８５１において実装されてもよい。
【０２０８】
＜７．２．端末装置に関する応用例＞
（第１の応用例）
図２４は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２０９】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２１０】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２１１】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２４に示したように複数のＢＢプロセッサ９１３及び複数のＲＦ回路９１４を含んでもよい。なお、図２４には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２１２】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２１３】
アンテナスイッチ９１５の各々は、無線通信インタフェース９１２に含まれる複数の回路（例えば、異なる無線通信方式のための回路）の間でアンテナ９１６の接続先を切り替える。
【０２１４】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２４に示したように複数のアンテナ９１６を有してもよい。なお、図２４にはスマートフォン９００が複数のアンテナ９１６を有する例を示したが、スマートフォン９００は単一のアンテナ９１６を有してもよい。
【０２１５】
さらに、スマートフォン９００は、無線通信方式ごとにアンテナ９１６を備えてもよい。その場合に、アンテナスイッチ９１５は、スマートフォン９００の構成から省略されてもよい。
【０２１６】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２４に示したスマートフォン９００の各ブロックへ電力を供給する。補助コントローラ９１９は、例えば、スリープモードにおいて、スマートフォン９００の必要最低限の機能を動作させる。
【０２１７】
図２４に示したスマートフォン９００において、図１０を参照して説明した情報取得部３６１及び通信制御部３６３は、無線通信インタフェース９１２において実装されてもよい。また、これら機能の少なくとも一部は、プロセッサ９０１又は補助コントローラ９１９において実装されてもよい。
【０２１８】
（第２の応用例）
図２５は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２１９】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２２０】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２２１】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２２２】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２５に示したように複数のＢＢプロセッサ９３４及び複数のＲＦ回路９３５を含んでもよい。なお、図２５には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２２３】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２２４】
アンテナスイッチ９３６の各々は、無線通信インタフェース９３３に含まれる複数の回路（例えば、異なる無線通信方式のための回路）の間でアンテナ９３７の接続先を切り替える。
【０２２５】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２５に示したように複数のアンテナ９３７を有してもよい。なお、図２５にはカーナビゲーション装置９２０が複数のアンテナ９３７を有する例を示したが、カーナビゲーション装置９２０は単一のアンテナ９３７を有してもよい。
【０２２６】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２２７】
バッテリー９３８は、図中に破線で部分的に示した給電ラインを介して、図２５に示したカーナビゲーション装置９２０の各ブロックへ電力を供給する。また、バッテリー９３８は、車両側から給電される電力を蓄積する。
【０２２８】
図２５に示したカーナビゲーション装置９２０において、図１０を参照して説明した情報取得部３６１及び通信制御部３６３は、無線通信インタフェース９３３において実装されてもよい。また、これら機能の少なくとも一部は、プロセッサ９２１において実装されてもよい。
【０２２９】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２３０】
＜＜８．まとめ＞＞
ここまで、図５〜図２５を参照して、本開示の実施形態を説明した。本開示に係る実施形態によれば、マクロ基地局１００は、マクロセル１０の１つのＣＣをＰＣＣとして使用する端末装置についての情報を取得する情報取得部１５１と、スモールセル２０の１つ以上のＣＣを、端末装置がさらに使用する追加のＣＣとして設定する通信制御部１５３とを備える。通信制御部１５３は、上記１つ以上のＣＣのうちの１つのＣＣを、サブＰＣＣ（即ち、アップリンク制御チャネルで上記端末装置がアップリンク制御情報を送信可能な特別なＣＣ）として設定する。
【０２３１】
これにより、例えば、キャリアアグリゲーションのケースにおいてバックホールによる無線通信への影響を低減することが可能になる。
【０２３２】
より具体的には、通常、ＳＣＣではアップリンク制御チャネルでアップリンク制御情報は送信されず、ＳＣＣについてのアップリンク制御情報はＰＣＣのアップリンク制御チャネルで送信される。そのため、ＳＣＣがスモールセル２０のＣＣであり、ＰＣＣがマクロセル１０のＣＣである場合には、バックホールでの遅延により、ＳＣＣについてのアップリンク制御情報がスモール基地局２００に到達するのに多大な時間を要し得る。そこで、上述したように、スモールセル２０の１つのＣＣがサブＰＣＣとして設定される。すると、アップリンク制御情報はサブＰＣＣのアップリンク制御チャネルで送信され得る。よって、例えば、バックホールによる無線通信への影響が低減される。
【０２３３】
−アップリンク制御情報
例えば、上記アップリンク制御情報は、ダウンリンク信号の受信に関する確認応答（ＡＣＫ）及び否定確認応答（ＮＡＣＫ）を含む。
【０２３４】
これにより、例えば、ＡＣＫ／ＮＡＣＫがサブＰＣＣのアップリンク制御チャネル上で送信され得るので、ＡＣＫ／ＮＡＣＫがスモール基地局２００に速やかに到達する。よって、適切な再送制御が可能になり得る。
【０２３５】
また、例えば、上記アップリンク制御情報は、スケジューリング要求（ＳＲ）を含む。
【０２３６】
これにより、例えば、スケジューリング要求がサブＰＣＣのアップリンク制御チャネル（ＰＵＣＣＨ）上で送信され得るので、スケジューリング要求がスモール基地局２００に速やかに到達する。よって、速やかなスケジューリングが可能になり得る。
【０２３７】
また、例えば、上記アップリンク制御情報は、周期的に報告されるチャネル状態情報（ＣＳＩ）を含む。
【０２３８】
これにより、例えば、周期的に報告されるＣＳＩがサブＰＣＣのアップリンク制御チャネル（ＰＵＣＣＨ）上で送信され得るので、上記ＣＳＩがスモール基地局２００に速やかに到達する。よって、上記端末装置の無線通信を速やかに環境に適応させることが可能になり得る。
【０２３９】
−アップリンク制御チャネル
例えば、上記アップリンク制御チャネルは、ＰＵＣＣＨである。
【０２４０】
これにより、例えば、ＰＵＣＣＨで送信されるアップリンク制御情報がサブＰＣＣのＰＵＣＣＨで送信されるので、当該アップリンク制御信号がスモール基地局２００に速やかに到達し得る。
【０２４１】
−サブＰＣＣの追加の通知
通信制御部１５３は、スモールセル２０のＣＣを、端末装置が使用する追加のＣＣとして新たに設定する際に、当該ＣＣをサブＰＣＣとして設定する場合には、サブＰＣＣとして当該ＣＣを追加することを上記端末装置に通知する。
【０２４２】
これにより、例えば、マクロセル１０のＣＣをＰＣＣとして使用する端末装置は、どのＣＣが当該端末装置にとってのサブＰＣＣであるかを知ることが可能になる。そのため、当該端末装置は、サブＰＣＣのアップリンク制御チャネルでアップリンク制御情報を実際に送信できるようになる。なお、端末装置は、ＰＣＣでは接続確立の手続きなどを行うので、ＰＣＣは、端末装置にとって自明であるが、端末装置は、サブＰＣＣでは接続確立の手続きなどを行わないので、サブＰＣＣは、端末装置にとって自明ではない。そのため、上述したような通知がとりわけ有効である。
【０２４３】
−サブＰＣＣに付随するＳＣＣの設定
例えば、通信制御部１５３は、スモールセル２０の上記１つ以上のＣＣ（即ち、上記追加のＣＣとして設定される１つ以上のＣＣ）のうちの、サブＰＣＣとして設定されないＣＣを、サブＰＣＣに付随するＳＣＣとして設定する。サブＰＣＣに付随するＳＣＣは、上記アップリンク制御チャネルで端末装置が上記アップリンク制御情報を送信不能なＣＣである。サブＰＣＣに付随するＳＣＣについての上記アップリンク制御情報は、サブＰＣＣの上記アップリンク制御チャネルで送信される。
【０２４４】
これにより、例えば、サブＰＣＣについてのアップリンク制御情報のみではなく、サブＰＣＣに付随するＳＣＣについてのアップリンク制御情報も、サブＰＣＣのアップリンク制御チャネルで送信され得る。よって、例えば、バックホールによる無線通信への影響がさらに低減され得る。
【０２４５】
−サブＰＣＣに付随するＳＣＣの追加の通知
例えば、通信制御部１５３は、スモールセル２０のＣＣを、端末装置が使用する追加のＣＣとして新たに設定する際に、当該ＣＣを、サブＰＣＣに付随するＳＣＣとして設定する場合には、サブＰＣＣに付随するＳＣＣとして当該ＣＣを追加することを上記端末装置に通知する。
【０２４６】
これにより、例えば、マクロセル１０のＣＣをＰＣＣとして使用する端末装置は、どのＣＣがサブＰＣＣに付随するＳＣＣであるかを知ることが可能になる。そのため、当該端末装置は、当該ＳＣＣについてのアップリンク制御情報をサブＰＣＣのアップリンク制御チャネルで実際に送信できるようになる。
【０２４７】
−サブＰＣＣの設定（変更）
本実施形態の第１の変形例によれば、通信制御部１５３は、サブＰＣＣに付随するＳＣＣとして設定されている１つのＣＣを、サブＰＣＣとして新たに設定することにより、サブＰＣＣを変更する。
【０２４８】
これにより、例えば、サブＰＣＣの変更は、ＰＣＣの変更とは異なり、ハンドオーバのような複雑な手続きを必要としない。そのため、例えば、より小さい負担でサブＰＣＣが変更され得る。
【０２４９】
−サブＰＣＣの変更後のサブＰＣＣへの付随
本実施形態の第１の変形例によれば、例えば、サブＰＣＣに付随するＳＣＣとして設定されている他のＣＣは、サブＰＣＣの変更後、サブＰＣＣとして新たに設定される上記１つのＣＣに付随する。
【０２５０】
これにより、例えば、サブＰＣＣが変更されたとしても、サブＰＣＣに付随するＳＣＣは、リリースされず、削除されず、デアクティベート（deactivate）されず、継続して使用される。そのため、ＣＣを再度追加する必要はないので、負担が小さくなり得る。即ち、より小さい負担でサブＰＣＣが変更され得る。
【０２５１】
−サブＰＣＣの変更の通知
本実施形態の第１の変形例によれば、例えば、通信制御部１５３は、サブＰＣＣの変更の際に、サブＰＣＣとして新たに設定される上記１つのＣＣにサブＰＣＣが変更されることを上記端末装置に通知する。
【０２５２】
これにより、例えば、マクロセル１０のＣＣをＰＣＣとして使用する端末装置は、サブＰＣＣの変更を知ることが可能になる。そのため、当該端末装置は、サブＰＣＣの変更後にサブＰＣＣのアップリンク制御チャネルでアップリンク制御情報を実際に送信できるようになる。
【０２５３】
−サブＰＣＣの設定（変更）
本実施形態の第２の変形例によれば、例えば、通信制御部１５３は、サブＰＣＣにおいて無線リンク障害（ＲＬＦ）が発生する場合に、所定の手続きを通じて、サブＰＣＣに付随するＳＣＣとして設定されている１つのＣＣをサブＰＣＣとして新たに設定する。
【０２５４】
これにより、例えば、サブＰＣＣにおいてＲＬＦが発生し、サブＰＣＣが使用不能になったとしても、サブＰＣＣに付随していたＳＣＣが継続して使用されることが可能になる。そのため、例えば、通信品質が向上し得る。
【０２５５】
一方、例えば、上記所定の手続きが所定の期間内に完了しない場合には、通信制御部１５３は、サブＰＣＣとサブＰＣＣに付随するＳＣＣとの上記端末装置による使用を停止する。
【０２５６】
これにより、例えば、サブＰＣＣでの通信が困難であるにもかかわらず、サブＰＣＣが継続して使用されることを回避することができる。また、例えば、サブＰＣＣに付随するＳＣＣについてのアップリンク制御情報（例えば、ＡＣＫ／ＮＡＣＫ、スケジューリング要求、及び周期的に報告されるＣＳＩなど）がサブＰＣＣで送信することが困難であるにもかかわらず、上記ＳＣＣが継続して使用されることを回避することができる。その結果、悪化した通信品質を伴う無線通信が速やかに停止され得る。
【０２５７】
−設定の条件
また、例えば、通信制御部１５３は、マクロ基地局１００とスモール基地局２００との間のバックホールが所定の品質基準を満たさないものである場合に、スモールセル２０の上記１つ以上のＣＣのうちの上記１つのＣＣをサブＰＣＣとして設定する。
【０２５８】
これにより、例えば、バックホールでの遅延が大きくなり得る場合にサブＰＣＣを設定することが可能になる。
【０２５９】
また、通信制御部１５３は、マクロ基地局１００とスモール基地局２００との間のバックホールが所定の品質基準を満たすものである場合に、スモールセル２０の上記１つ以上のＣＣの各々をＰＣＣに付随するＳＣＣとして設定する。
【０２６０】
これにより、例えば、バックホールでの遅延が小さいと想定される場合に、スモールセルのＣＣを、ＰＣＣに付随するＳＣＣにすることが可能になる。そのため、例えば、スモール基地局２００はデータの送受信に専念し得る。その結果、スモールセル２０におけるスループットが向上し得る。
【０２６１】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０２６２】
例えば、端末装置が使用するＣＣを示す設定情報を更新することにより、ＣＣ（例えば、サブＰＣＣ）が設定される例を説明したが、本開示は係る例に限定されない。例えば、上記設定情報は、端末装置が使用するＣＣを示す情報ではなく、端末装置が使用するＣＣについての別の情報であってもよい。また、設定情報の更新以外の手法により、ＣＣ（例えば、サブＰＣＣ）が設定されてもよい。即ち、ＣＣが使用されるようにするためのいずれかの別の手法により、ＣＣが設定されてもよい。
【０２６３】
また、例えば、マクロセル基地局とスモールセル基地局とのバックホールが所定の品質基準を満たさないものであれば、サブＰＣＣが設定され、そうでなければ、サブＰＣＣが設定されない、という例を説明したが、本開示は係る例に限定されない。例えば、上記バックホールに依らず、スモールセルの１つのＣＣがサブＰＣＣとして設定されてもよい。
【０２６４】
また、例えば、マクロセルのＣＣがＰＣＣであり、スモールセルのＣＣがサブＰＣＣである場合に、当該スモールセルの他のＣＣが、サブＰＣＣに付随するＳＣＣとして設定される例を説明したが、本開示は係る例に限定されない。一例として、上記他のＣＣが、ＰＣＣに付随するＳＣＣとして設定されてもよい。別の例として、上記スモールセルの第１のＣＣが、ＰＣＣに付随するＳＣＣとして設定され、上記スモールセルの第２のＣＣが、サブＰＣＣに付随するＳＣＣとして設定されてもよい。
【０２６５】
また、例えば、マクロセルのＣＣがＰＣＣになる例を主として説明したが、本開示は係る例に限定されない。例えば、スモールセルのＣＣがＰＣＣになってもよい。この場合に、当該スモールセルのいずれのＣＣもサブＰＣＣとして設定されなくてもよい。
【０２６６】
また、例えば、端末装置が、１つのスモールセルのＣＣを使用する例を説明したが、本開示は係る例に限定されない。例えば、端末装置は、複数のスモールセルのＣＣを同時に使用してもよい。この場合に、複数のスモールセルの各々についてサブＰＣＣが設定されてもよく、又は複数のスモールセルのうちの２つ以上のスモールセルに共通のサブＰＣＣが設定されてもよい。
【０２６７】
また、例えば、マクロ基地局が、マクロセルの１つのＣＣをＰＣＣとして使用する端末装置の情報の取得及びサブＰＣＣの設定を行う例を説明したが、本開示は係る例に限定されない。例えば、いずれかのコアネットワークノードが、上記取得及び上記設定を行ってもよい。あるいは、スモール基地局が、上記取得及び上記設定を行ってもよい。即ち、上述したマクロ基地局の情報取得部及び通信制御部は、マクロ基地局により備えられる代わりに、コアネットワークノード又はスモール基地局により備えられてもよい。
【０２６８】
また、通信システムがＬＴＥ、ＬＴＥ−Ａｄｖａｎｃｅｄ、又はこれらに準ずる通信方式に従ったシステムである例を説明したが、本開示は係る例に限定されない。例えば、通信システムは、別の通信規格に従ったシステムであってもよい。
【０２６９】
また、本明細書の各処理における処理ステップは、必ずしもフローチャートに記載された順序に沿って時系列に実行されなくてよい。例えば、各処理における処理ステップは、フローチャートとして記載した順序と異なる順序で実行されても、並列的に実行されてもよい。
【０２７０】
また、本開示に係る装置（通信制御装置又は端末装置）に内蔵されるＣＰＵ、ＲＯＭ及びＲＡＭ等のハードウェアに、上記装置の各構成と同等の機能を発揮させるためのコンピュータプログラムも作成可能である。また、当該コンピュータプログラムを記憶させた記憶媒体も提供されてもよい。また、当該コンピュータプログラムを記憶するメモリ（例えば、ＲＯＭ及びＲＡＭ）と、当該コンピュータプログラムを実行可能な１つ以上のプロセッサ（例えば、ＣＰＵ、ＤＳＰなど）を備える情報処理装置（例えば、処理回路、チップ）も提供されてもよい。
【０２７１】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２７２】
なお、以下のような構成も本開示の技術的範囲に属する。
（１）
マクロセルの１つのコンポーネントキャリアをプライマリコンポーネントキャリアとして使用する端末装置についての情報を取得する取得部と、
前記マクロセルと一部又は全体で重なるスモールセルの１つ以上のコンポーネントキャリアを、前記端末装置がさらに使用する追加のコンポーネントキャリアとして設定する制御部と、
を備え、
前記制御部は、前記１つ以上のコンポーネントキャリアのうちの１つのコンポーネントキャリアを、アップリンク制御チャネルで前記端末装置がアップリンク制御情報を送信可能な特別なコンポーネントキャリアとして設定する、
通信制御装置。
（２）
前記アップリンク制御情報は、ダウンリンク信号の受信に関する確認応答（ＡＣＫ）及び否定確認応答（ＮＡＣＫ）を含む、前記（１）に記載の通信制御装置。
（３）
前記アップリンク制御情報は、アップリンクのスケジューリング要求を含む、前記（１）又は（２）に記載の通信制御装置。
（４）
前記アップリンク制御情報は、周期的に報告されるチャネル状態情報を含む、前記（１）〜（３）のいずれか１項に記載の通信制御装置。
（５）
前記アップリンク制御チャネルは、物理アップリンク制御チャネル（ＰＵＣＣＨ）である、前記（１）〜（４）のいずれか１項に記載の通信制御装置。
（６）
前記特別なコンポーネントキャリアは、前記端末装置により接続確立の手続きが行われないコンポーネントキャリアである、前記（１）〜（５）のいずれか１項に記載の通信制御装置。
（７）
前記特別なコンポーネントキャリアは、端末装置ごとに選択されるコンポーネントキャリアである、前記（１）〜（６）のいずれか１項に記載の通信制御装置。
（８）
前記制御部は、前記スモールセルのコンポーネントキャリアを前記追加のコンポーネントキャリアとして新たに設定する際に、当該コンポーネントキャリアを前記特別なコンポーネントキャリアとして設定する場合には、前記特別なコンポーネントキャリアとして前記コンポーネントキャリアを追加することを前記端末装置に通知する、前記（１）〜（７）のいずれか１項に記載の通信制御装置。
（９）
前記制御部は、前記スモールセルの前記１つ以上のコンポーネントキャリアのうちの、前記特別なコンポーネントキャリアとして設定されないコンポーネントキャリアを、前記特別なコンポーネントキャリアに付随するセカンダリコンポーネントキャリアとして設定し、
前記セカンダリコンポーネントキャリアは、前記アップリンク制御チャネルで前記端末装置が前記アップリンク制御情報を送信不能なコンポーネントキャリアであり、
前記セカンダリコンポーネントキャリアに関連する前記アップリンク制御情報は、前記特別なコンポーネントキャリアの前記アップリンク制御チャネルで送信される情報である、
前記（１）〜（８）のいずれか１項に記載の通信制御装置。
（１０）
前記制御部は、前記スモールセルのコンポーネントキャリアを前記追加のコンポーネントキャリアとして新たに設定する際に、当該コンポーネントキャリアを前記セカンダリコンポーネントキャリアとして設定する場合には、前記セカンダリコンポーネントキャリアとして前記コンポーネントキャリアを追加することを前記端末装置に通知する、前記（９）に記載の通信制御装置。
（１１）
前記制御部は、前記セカンダリコンポーネントキャリアとして設定されている１つのコンポーネントキャリアを、前記特別なコンポーネントキャリアとして新たに設定することにより、前記特別なコンポーネントキャリアを変更する、前記（９）又は（１０）に記載の通信制御装置。
（１２）
前記セカンダリコンポーネントキャリアとして設定されている他のコンポーネントキャリアは、前記特別なコンポーネントキャリアの変更後、前記特別なコンポーネントキャリアとして新たに設定される前記１つのコンポーネントキャリアに付随する、前記（１１）に記載の通信制御装置。
（１３）
前記制御部は、前記特別なコンポーネントキャリアの変更の際に、前記特別なコンポーネントキャリアとして新たに設定される前記１つのコンポーネントキャリアに前記特別なコンポーネントキャリアが変更されることを前記端末装置に通知する、前記（１１）又は（１２）に記載の通信制御装置。
（１４）
前記制御部は、接続再構成の手続きにおけるメッセージの中で、前記特別なコンポーネントキャリアとして新たに設定される前記１つのコンポーネントキャリアに前記特別なコンポーネントキャリアが変更されることを前記端末装置に通知する、前記（１３）に記載の通信制御装置。
（１５）
前記制御部は、前記特別なコンポーネントキャリアにおいて無線リンク障害が発生する場合に、所定の手続きを通じて、前記セカンダリコンポーネントキャリアとして設定されている１つのコンポーネントキャリアを前記特別なコンポーネントキャリアとして新たに設定する、前記（１１）〜（１４）のいずれか１項に記載の通信制御装置。
（１６）
前記所定の手続きは、前記特別なコンポーネントキャリアの変更のための接続再構成の手続き又は接続再確立の手続きである、前記（１５）に記載の通信制御装置。
（１７）
前記制御部は、前記所定の手続きが所定の期間内に完了しない場合には、前記特別なコンポーネントキャリアと前記特別なコンポーネントキャリアに付随するセカンダリコンポーネントキャリアとの前記端末装置による使用を停止する、前記（１５）又は（１６）に記載の通信制御装置。
（１８）
前記制御部は、前記マクロセルの基地局と前記スモールセルの基地局との間のバックホールが所定の品質基準を満たさないものである場合に、前記１つ以上のコンポーネントキャリアのうちの前記１つのコンポーネントキャリアを前記特別なコンポーネントキャリアとして設定し、前記バックホールが前記所定の通信品質を満たすものである場合に、前記１つ以上のコンポーネントキャリアの各々を、前記プライマリコンポーネントキャリアに付随するセカンダリコンポーネントキャリアとして設定する、前記（１）〜（１７）のいずれか１項に記載の通信制御装置。
（１９）
マクロセルの１つのコンポーネントキャリアをプライマリコンポーネントキャリアとして使用する端末装置についての情報を取得することと、
プロセッサにより、前記マクロセルと一部又は全体で重なるスモールセルの１つ以上のコンポーネントキャリアを、前記端末装置がさらに使用する追加のコンポーネントキャリアとして設定することと、
を含み、
前記１つ以上のコンポーネントキャリアを前記追加のコンポーネントキャリアとして設定することは、前記１つ以上のコンポーネントキャリアのうちの１つのコンポーネントキャリアを、アップリンク制御チャネルで前記端末装置がアップリンク制御情報を送信可能な特別なコンポーネントキャリアとして設定すること、を含む、
通信制御方法。
（２０）
端末装置であって、
前記端末装置が、マクロセルの１つのコンポーネントキャリアをプライマリコンポーネントキャリアとして使用し、前記マクロセルと一部又は全体で重なるスモールセルの１つ以上のコンポーネントキャリアが、前記端末装置がさらに使用する追加のコンポーネントキャリアとして設定され、前記１つ以上のコンポーネントキャリアのうちの１つのコンポーネントキャリアが、アップリンク制御チャネルで前記端末装置がアップリンク制御情報を送信可能な特別なコンポーネントキャリアとして設定される場合に、前記１つのコンポーネントキャリアについての情報を取得する取得部と、
前記１つのコンポーネントキャリアにおいて前記アップリンク制御チャネルで前記アップリンク制御情報が送信されるように、前記１つのコンポーネントキャリアにおける無線通信を制御する制御部と、
を備える端末装置。
【符号の説明】
【０２７３】
１        通信システム
１０      マクロセル
２０      スモールセル
１００    マクロ基地局
１５１    情報取得部
１５３    通信制御部
２００    スモール基地局
３００    端末装置
３６１    情報取得部
３６３    通信制御部
【図１】
0006459973.tif 000002
【図２】
0006459973.tif 000003
【図３】
0006459973.tif 000004
【図４】
0006459973.tif 000005
【図５】
0006459973.tif 000006
【図６】
0006459973.tif 000007
【図７】
0006459973.tif 000008
【図８】
0006459973.tif 000009
【図９】
0006459973.tif 000010
【図１０】
0006459973.tif 000011
【図１１】
0006459973.tif 000012
【図１２】
0006459973.tif 000013
【図１３】
0006459973.tif 000014
【図１４】
0006459973.tif 000015
【図１５】
0006459973.tif 000016
【図１６】
0006459973.tif 000017
【図１７】
0006459973.tif 000018
【図１８】
0006459973.tif 000019
【図１９】
0006459973.tif 000020
【図２０】
0006459973.tif 000021
【図２１】
0006459973.tif 000022
【図２２】
0006459973.tif 000023
【図２３】
0006459973.tif 000024
【図２４】
0006459973.tif 000025
【図２５】
0006459973.tif 000026